(57)【要約】【課題】  背景放射の軌道エネルギーは、3.769×10−26Jmです。これはどのようにできたか。ビッグバンの以前の球体の大きさ、原子の数、引力はいくらか。【課題を解決するための手段】  地上の電子のラブが1秒間に作る電気の光子の公転軌道エネルギーは、7.382×10−16J×1.058×10−10ｍ＝7.810×10−26Jmです。背景放射は電子のラブが1秒間公転して作る電気の光子の公転軌道エネルギーが1束に成っている。この事によって、背景放射は、ビッグバンの後、偶然にできたのではなく、安定した電子のラブによって作られた。ビッグバンの以前に作られた事を示唆している。ビッグバンの以前の後期の電子のラブと陽子のラブの引力は、現在地上の原子の電子のラブと陽子のラブの引力と等しいと考え、球体の大きさ、原子の数、引力を計算する。【選択図】図2
2009296884.tif 000002
【特許請求の範囲】
【請求項１】
背景放射は、ビッグバンの以前、何であったのか。
背景放射は、ビッグバンの以前、電子のラブが自転し作る磁気の光子であり、電子のラブが公転し作る電気の光子であった。
背景放射は、ビッグバンの以前、陽子のラブが自転し作る磁気の光子であり、陽子のラブが公転し作る電気の光子であった。
それは、どうして判るか。
電子のラブの場合。
現在、地上で、電子のラブが1秒間に作る電気の光子のエネルギーと磁気の光子のエネルギーは、それぞれ、7.382×10−16Jです。電子のラブの公転軌道は、1.058×10−10ｍです。
電子のラブが1秒間自転し作る磁気の光子のエネルギー×公転軌道＝1秒間にできる磁気の光子の公転軌道エネルギー＝7.382×10−16J×1.058×10−10ｍ＝7.810×10−26Jm
電子のラブが1秒間公転し作る電気の光子のエネルギー×公転軌道＝1秒間にできる磁気の光子の公転軌道エネルギー＝7.382×10−16J×1.058×10−10ｍ＝7.810×10−26Jm
背景放射はこの電子のラブが1秒間公転して作る電気の光子のエネルギーが1束に成っている。
背景放射の温度からエネルギーを算出したので、これは、電気の光子のエネルギーです。
それで、
背景放射の軌道エネルギーは、ビッグバンの以前、電子のラブが1秒間に作る電気の光子のエネルギー×公転軌道、です。これが1束になっている。
陽子のラブの場合。
現在、地上で、陽子のラブが1秒間に作る電気の光子のエネルギーと磁気の光子のエネルギーは、それぞれ、4.02×10−19Jです。陽子のラブの公転軌道は、5.777×10−14ｍです。
陽子のラブが1秒間自転し作る磁気の光子のエネルギー×公転軌道＝1秒間にできる磁気の光子の公転軌道エネルギー＝4.02×10−19J×5.777×10−14ｍ＝2.322×10−32Jm
陽子のラブが1秒間公転し作る電気の光子のエネルギー×公転軌道＝1秒間にできる磁気の光子の公転軌道エネルギー＝4.02×10−19J×5.777×10−14ｍ＝2.322×10−32Jm
陽子のラブが1秒間に作った光子のエネルギー×公転軌道は2.322×10−32Jmであり、とても小さいので、現在、地上では発見できない。
しかし、私は、「請求項18」に、ビッグバンの以前に、陽子のラブが作った光子の束の軌道エネルギーは、4.260×10−29Jmである、と記した。
・電子のラブの場合、1秒間にできる光子の公転軌道エネルギーは、電子のラブの公転軌道エネルギーの何倍か。
1秒間にできる電気の光子の公転軌道エネルギー÷電子のラブの公転軌道エネルギー＝7.810×10−26Jm÷（8.665×10−24Jm）＝9.013×10−3（倍）
電子のラブの場合、1秒間にできる光子の公転軌道エネルギーは、電子のラブの公転軌道エネルギーの9.013×10−3倍です。
それで、ビッグバンの以前も、電子のラブは、電子のラブの公転軌道エネルギーの9.013×10−3倍の光子を作っていた。
即ち、7.810×10−26Jmの公転軌道エネルギーの光子を作っていた。これが背景放射です。
・ビッグバンの以前、電子のラブと陽子のラブの公転軌道エネルギーはいくらか。
ビッグバンの以前、電子のラブが1秒間に作る公転軌道エネルギーと、現在、地表で電子のラブが1秒間に作る公転軌道エネルギーは等しい。この事は、電子のラブの公転軌道エネルギーは、ビッグバンの以前も、現在、地表も同じであるという事です。
即ち、ラブの公転軌道エネルギーは、ビッグバンの以前も現在地表も8.665×10−24Jｍです。
・背景放射は、3.769×10−26Jmです。この値は、現在、地表で、1秒間にできる光子の公転軌道エネルギーの何倍か。
3.769×10−26Jm÷（7.810×10−26Jm）＝0.483（倍）
背景放射は、電子のラブが1秒間に作った電気の光子の公転軌道エネルギーの約1/2に成っている。
即ち、背景放射とは、ビッグバンの以前、電子のラブが1秒間に作った光子のエネルギー×公転軌道です。
・背景放射が電磁気(電気の光子と磁気の光子)であるとする場合。
背景放射の軌道エネルギーは3.769×10−26Jmです。
地上で、電子のラブが1秒間に作る磁気の光子のエネルギー＋電子の光子のエネルギー＝2×7.382×10−16J＝1.476×10−15J、です。
電子のラブが1秒間に作る磁気の光子と電気の光子のエネルギー×公転軌道＝1.476×10−15J×1.058×10−10ｍ＝1.562×10−25Jm
・ビッグバンの時も、現在、地上で、電子のラブが1秒間に作る磁気の光子のエネルギー＋電気の光子のエネルギー×公転軌道＝1.562×10−25Jmと同じ公転軌道エネルギーを作っていたとすると、背景放射の軌道エネルギーは何倍になったか。
背景放射の軌道エネルギー÷ビッグバンの時の電磁気の公転軌道エネルギー＝3.769×10−26Jm÷(1.562×10−25Jm)＝2.413×10−1(倍)
背景放射の軌道エネルギーは、ビッグバンの時の電磁気の公転軌道エネルギーの2.413×10−1倍です。
この事から理解できること。
1. もしかしたら、磁気の光子はエネルギーが小さいので、消えてなくなってしまったのかもしれない。
2. 背景放射の温度から、背景放射のエネルギーを算出したので、背景放射の公転軌道エネルギーの中には、磁気の光子のエネルギーは含まれて居ない。
3. よって、背景放射のエネルギーは電磁気のエネルギーではない。電気の光子のエネルギーです。
4. 背景放射の公転軌道エネルギーは、3.769×10−26Jmです。この値は、現在、地表で、1秒間にできる電気の光子の公転軌道エネルギーの0.483倍です。
5. ビッグバンの以前、電子のラブが1秒間に作った磁気の光子と電気の光子の公転軌道エネルギーは、背景放射の公転軌道エネルギーである。
6. 光子の軌道エネルギーは普遍です。ビッグバンの以前にできた、電気の光子の公転軌道エネルギーが136億年走り続けた今でも同じ軌道エネルギーです。この事は、光子の軌道エネルギーは普遍である証拠です。
7．よって、電気の光子1個の公転軌道エネルギーは、どのような高エネルギーの場においても、低エネルギーの場においても、1.233×10−41Jmである。
【請求項２】
ビッグバンの以前、背景放射は電子のラブではなかった。ビッグバンの以前、背景放射は陽子のラブではなかった。
宇宙背景放射は、1.594×1024倍に拡大したのに対し、陽子のラブの自転軌道と、電子のラブの自転軌道は、ビッグバンの以前の自転軌道の6.664×109倍に拡大した理由は、その中に、陽子のラブと電子のラブが存在するからです。この理解から、背景放射の中には、電子のラブは存在しない。背景放射の中には、陽子のラブは存在しない事が判明した。
背景放射は、ビッグバンの以前、電子のラブの光子（電子のラブの粒子）ではない。
背景放射は、ビッグバンの以前、陽子のラブの光子（電子のラブの粒子）ではない。
【請求項３】
背景放射が示す事は何か。ビッグバンの以前、球体になっていた事は何を示すか。
背景放射のエネルギーは、2.73Kです。背景放射は熱であるから、電気の光子のエネルギーです。この事から理解できる事は、ビッグバンの以前、電子のラブは公転し、電気の光子を作っていた。ということです。
背景放射は、電子のラブが公転し作った電気の光子です。
背景放射は、ビッグバンの以前、電子のラブは公転していた事の証拠です。
ビッグバンの以前、電子のラブと陽子のラブは、球体になっていたことは、引力があったことです。引力は、磁気の光子が作ります。磁気の光子は、電子のラブと陽子のラブが自転し、作りました。それで、ビッグバンの以前、電子のラブと陽子のラブは自転していた。
ビッグバンの以前、電子のラブが球体の外側に存在し、陽子のラブは球体の内側にまとまって存在できた事は、磁気の光子が引力になっていた。電子のラブと陽子のラブは自転し、磁気の光子を作っていた事をしめす。
ビッグバンの以前、電子のラブと陽子のラブは、球体になっていたことは、電子のラブと陽子のラブは自転し、磁気の光子を作っていた証拠です。
【請求項４】
ビッグバンの以前、電子のラブが1秒間に作った磁気の光子と電気の光子の公転軌道エネルギーは、背景放射の公転軌道エネルギーである。
ビッグバンの以前、電子のラブが1秒間に作った磁気の光子と電気の光子の公転軌道エネルギーは、背景放射の公転軌道エネルギーであると考えられる理由。
背景放射の公転軌道エネルギーは、地上の電子のラブが作る1秒間に作る磁気の光子と電気の光子の公転軌道エネルギーの約0.5倍であり、ほぼ等しい。
それで、ビッグバンの以前、電子のラブが1秒間に作った磁気の光子と電気の光子の公転軌道エネルギーは、背景放射の公転軌道エネルギーであった。
ビッグバンの以前に、1秒間にできた電気の光子の公転軌道エネルギーは、そのまま背景放射になっている。
この事によって理解できること。
1. 光子の軌道エネルギーは変わらない。
【請求項５】
ビッグバンの以前の状態はどのようであったか。
ビッグバンの以前、電子のラブと陽子のラブは存在していた。
初め、電子のラブと陽子のラブは自転だけしていた。
その後、電子のラブと陽子のラブは自転し、公転し、磁気の光子と電気の光子を作っていた。電子のラブと陽子のラブの公転軌道エネルギーは、8.665×10−24Jmです。この軌道エネルギーによってできる電気の光子の公転軌道エネルギーは、現在、地上の電子のラブと陽子のラブが作る電気の光子の公転軌道エネルギーと同じです。
現在、地上の電子のラブが1秒間に作る磁気の光子と電気の光子の公転軌道エネルギーは、7.382×10−16J×1.058×10−10ｍ＝7.810×10−26Jm、です。現在、地上で、陽子のラブが1秒間に作る磁気の光子と電気の光子の公転軌道エネルギーは、4.02×10−19J×5.777×10−14ｍ＝2.322×10−32Jm、です。
それで、ビッグバンの以前、電子のラブが1秒間に作った磁気の光子と電気の光子の公転軌道エネルギーは7.810×10−26Jmです。陽子のラブが1秒間に作った磁気の光子と電気の光子の公転軌道エネルギーは、2.322×10−32Jmです。
ビッグバンの以前、存在したのは、電子のラブと陽子のラブでした。電子のラブは自転しながら公転し、1秒間に、7.810×10−26Jmの公転軌道エネルギーの磁気の光子と電気の光子を作っていました。その公転軌道エネルギーが、現在、地上で3.769×10−26Jmの背景放射になっています。
【請求項６】
ビッグバンの以前の球体には、現在宇宙に存在する全ての電子のラブと陽子のラブが集まっていた。この事は何を意味するか。
ビッグバンの以前の球体には、現在宇宙に存在する全ての電子のラブと陽子のラブが集まっていた。この事は、ビッグバンの以前の球体には、現在宇宙に存在する全ての電子のラブと陽子のラブが集まるだけの引力があった事を意味する。引力は磁気の光子が作る。磁気の光子は電子のラブと陽子のラブの自転によりできる。この事は、ビッグバンの以前、電子のラブと陽子のラブは自転し、引力となる磁気の光子を作っていた事を示す。
【請求項７】
ビッグバンの以前、引力はいくらであったか。ビッグバンの以前の引力は、現在の地表の引力の何倍か。
○ビッグバンの以前、電子のラブのエネルギーを１Jとする場合。
電子のラブの公転軌道は、8.665×10−24Jm÷１J=8.665×10−24ｍ、です。
1公転でできる電気の光子と磁気の光子のエネルギーは、1.233×10−41Jm÷(8.665×10−24ｍ)＝1.423×10−18J、です。
1秒間に、(7.96×107)2回公転しますから、1秒間にできる電気の光子と磁気の光子のエネルギーは、1.423×10−18J×(7.96×107)2回＝9.016×10−3J、です。
陽子のラブのエネルギーは、電子のラブのエネルギーの質量倍ですから、
陽子のラブの質量÷電子のラブの質量＝1.67265×10−27ｇ÷(9.1095×10−31ｇ)＝1836(倍)、ですから、1836Jです。
陽子のラブの公転軌道は、8.665×10−24Jm÷1836J=4.719×10−27ｍ、です。
1公転でできる電気の光子と磁気の光子のエネルギーは、1.233×10−41Jm÷(4.719×10−27ｍ)＝2.613×10−15J、です。
1秒間に、4.34×104×7.96×107回公転しますから、1秒間にできる電気の光子と磁気の光子のエネルギーは、2.613×10−15J×4.34×104×7.96×107回＝9.027×10−3J、です。
・ビッグバンの以前のAはいくらか。
ビッグバンの以前のA=地表の電子のラブの公転軌道÷ビッグバンの以前の電子のラブの公転軌道＝1.058×10−10ｍ÷(8.665×10−24ｍ)＝1.221×1013
ビッグバンの以前のAは1.221×1013です。
・ビッグバンの以前の温度はいくらか。
温度＝A2＝(1.221×1013)2＝1.491×1026℃
ビッグバンの以前の温度は、1.491×1026℃です。
・ビッグバンの以前、電子のラブが1秒間に作る引力はいくらか。陽子のラブが1秒間に作る引力はいくらか。
引力は、磁気の光子のエネルギーですから、ビッグバンの以前、電子のラブが1秒間に作る引力は、9.016×10−3Jです。陽子のラブが1秒間に作る引力は9.027×10−3Jです。
・ビッグバンの以前、電子のラブと電子のラブとの間の引力はいくらか。
物と物との間の引力はA4ですから、A4＝(1.221×1013)4＝2.223×1052(倍)
ビッグバンの以前の物と物との間の引力は、地表の引力の2.223×1052倍です。
これを、電子のラブによって確認する。
ビッグバンの以前の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(9.027×10−3J)×(9.016×10−3J)÷(8.665×10−24ｍ)2＝1.084×1042J/m、です。
現在、地表の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(7.374×10−16J)×(7.384×10−16J)÷(1.058×10−10ｍ)2＝4.864×10−11J/m、です。
ビッグバンの以前の引力は地表の引力の何倍か。
ビッグバンの以前の引力÷地表の引力＝1.084×1042J/m÷(4.864×10−11J/m)＝2.229×1052倍です。
ビッグバンの以前の引力は、現在の地表の引力の2.229×1052倍です。
○ビッグバンの以前、電子のラブのエネルギーを8.665Jとする場合。
電子のラブの公転軌道は、8.665×10−24Jm÷8.665J=10−24ｍ、です。
1公転でできる電気の光子と磁気の光子のエネルギーは、1.233×10−41Jm÷10−24ｍ＝1.233×10−17J、です。
1秒間に、(7.96×107)2回公転しますから、1秒間にできる電気の光子と磁気の光子のエネルギーは、1.233×10−17J×(7.96×107)2回＝7.812×10−2Jです。
陽子のラブのエネルギーは、電子のラブのエネルギーの質量倍ですから、
陽子のラブの質量÷電子のラブの質量＝1.67265×10−27ｇ÷(9.1095×10−31ｇ)＝1836(倍)、ですから、8.665J×1836＝1.591×104Jです。
陽子のラブの公転軌道は、8.665×10−24Jm÷(1.591×104J)=5.446×10−28ｍ、です。
1公転でできる電気の光子と磁気の光子のエネルギーは、1.233×10−41Jm÷(5.446×10−28ｍ)＝2.264×10−14J、です。
1秒間に、4.34×104×7.96×107回公転しますから、1秒間にできる電気の光子と磁気の光子のエネルギーは、2.264×10−14J×4.34×104×7.96×107回＝7.821×10−2J、です。
・ビッグバンの以前のAはいくらか。
ビッグバンの以前のA=地表の電子のラブの公転軌道÷ビッグバンの以前の電子のラブの公転軌道＝1.058×10−10ｍ÷10−24ｍ＝1.058×1014
ビッグバンの以前のAは1.058×1014です。
・ビッグバンの以前の温度はいくらか。
温度＝A2＝(1.058×1014)2＝1.119×1028℃
ビッグバンの以前の温度は、1.119×1028℃です。
・ビッグバンの以前、電子のラブが1秒間に作る引力はいくらか。陽子のラブが1秒間に作る引力はいくらか。
引力は、磁気の光子のエネルギーですから、ビッグバンの以前、電子のラブが1秒間に作る引力は、7.812×10−2Jです。陽子のラブが1秒間に作る引力は7.821×10−2Jです。
・ビッグバンの以前、電子のラブと電子のラブとの間の引力はいくらか。
物と物との間の引力はA4ですから、A4＝(1.058×1014)4＝1.253×1056(倍)
ビッグバンの以前の物と物との間の引力は、地表の引力の1.253×1056倍です。
これを、電子のラブによって確認する。
ビッグバンの以前の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(7.821×10−2J)×(7.812×10−2J)÷10−24ｍ2＝6.110×1045J/m、です。
現在、地表の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(7.374×10−16J)×(7.384×10−16J)÷(1.058×10−10ｍ)2＝4.864×10−11J/m、です。
ビッグバンの以前の引力は地表の引力の何倍か。
ビッグバンの以前の引力÷地表の引力＝6.110×1045J/m÷(4.864×10−11J/m)＝1.256×105６倍です。
ビッグバンの以前の引力は、現在の地表の引力の1.256×1056倍です。
これを一般式にて表す。
○ビッグバンの以前、電子のラブのエネルギーをaJとする場合。
電子のラブの公転軌道は、8.665×10−24Jm÷aJ=8.665×10−24÷aｍ、です。
1公転でできる電気の光子と磁気の光子のエネルギーは、1.233×10−41Jm÷(8.665×10−24÷aｍ)＝1.423×10−18×aJ、です。
1秒間に、(7.96×107)2回公転しますから、1秒間にできる電気の光子と磁気の光子のエネルギーは、1.423×10−18×aJ×(7.96×107)2回＝9.016×10−3×aJ、です。
陽子のラブのエネルギーは、1836aJです。
陽子のラブの公転軌道は、8.665×10−24Jm÷(1836aJ)=4.719×10−27÷aｍ、です。
1公転でできる電気の光子と磁気の光子のエネルギーは、1.233×10−41Jm÷(4.719×10−27÷aｍ)＝2.613 ×10−15×aJ、です。
1秒間に、4.34×104×7.96×107回公転しますから、1秒間にできる電気の光子と磁気の光子のエネルギーは、2.613 ×10−15×aJ×4.34×104×7.96×107回＝9.027×10−3×aJ 、です。
・ビッグバンの以前のAはいくらか。
ビッグバンの以前のA=地表の電子のラブの公転軌道÷ビッグバンの以前の電子のラブの公転軌道＝1.058×10−10ｍ÷(8.665×10−24÷aｍ)＝1.221×1013×a
ビッグバンの以前のAは1.221×1013×aです。
・ビッグバンの以前の温度はいくらか。
温度＝A2＝(1.221×1013×a)2＝1.491×1026×a2℃
ビッグバンの以前の温度は、1.491×1026×a2℃℃です。
・ビッグバンの以前、電子のラブが1秒間に作る引力はいくらか。陽子のラブが1秒間に作る引力はいくらか。
引力は、磁気の光子のエネルギーですから、ビッグバンの以前、電子のラブが1秒間に作る引力は、9.016×10−3J×aJです。陽子のラブが1秒間に作る引力は9.027×10−3 ÷aJ です。
・ビッグバンの以前、電子のラブと電子のラブとの間の引力はいくらか。
物と物との間の引力はA4ですから、A4＝(1.221×1015×a)4＝2.223×1045×a4(倍)
ビッグバンの以前の物と物との間の引力は、地表の引力の2.223×1045×a4倍です。
これを、電子のラブによって確認する。
ビッグバンの以前の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(9.027×10−3×aJ)×」(9.016×10−3×aJ)÷(8.665×10−24÷aｍ)2=1.084×1042×a4J/m、です。
ビッグバンの以前の引力は地表の引力の何倍か。
ビッグバンの以前の引力÷地表の引力＝1.084×1042×a4J/m÷(4.864×10−11J/m)＝2.229×1053×a4倍です。
ビッグバンの以前の引力は、現在の地表の引力の2.229×1053×a4倍です。
これを表に示す。
ビッグバンの以前の様子。
表11
2009296884.tif 000013
【請求項８】
ビッグバンの以前の球体の状態を２つに分類する。
ビッグバンの以前の球体の状態を２つに分類する。
1つは、ビッグバンの以前の前期で、球体で、陽子のラブと電子のラブは自転だけしていた時。
２つは、ビッグバンの以前の後期で、球体で、陽子のラブと電子のラブは自転と公転をしていた時。
【請求項９】
ビッグバンの以前の前期で、球体で、陽子のラブと電子のラブは自転だけしていた時、球体の大きさはいくらか。全ての磁気の光子のエネルギーはいくらか。引力はいくらか。
宇宙全体の電子のラブの数と陽子のラブの数をｃとします。半径にｄ個の電子のラブが存在するとします。電子のラブのエネルギーをaJとします。
・球体の大きさはいくらか。
4π/3×ｄ3＝2ｃ
ｄ3＝2ｃ÷4π/3＝2ｃ÷4.187
ｄ＝(2ｃ÷4.187)1/3
半径＝ｄ×自転軌道
電子のラブの自転軌道は、公転軌道×3.14÷1公転の自転回数＝公転軌道×3.14÷(7.96×107回)＝8.665×10−24Jm÷電子のラブのエネルギー×3.14÷(7.96×107回)＝3.418×10−31 Jm÷電子のラブのエネルギー＝3.418×10−31ｍ÷a
陽子のラブの自転軌道＝公転軌道×3.14÷1公転の自転回数＝公転軌道×3.14÷(4.34×104回)＝8.665×10−24Jm÷(電子のラブのエネルギー×1836)×3.14÷(4.34×104回)＝3.414×10−31 Jm÷電子のラブのエネルギー＝3.414×10−31ｍ÷a
よって、
半径＝ｄ×自転軌道＝(2ｃ÷4.187)1/3×自転軌道＝(2ｃ÷4.187)1/3×3.418×10−31ｍ÷a
半径は、(2ｃ÷4.187)1/3×3.418×10−31ｍ÷a＝ｃ1/3÷0.47771/3×3.418×10−31ｍ÷a＝ｃ1/3÷0.781×3.418×10−31ｍ÷a＝ｃ1/3×4.376×10−31ｍ÷a
球体の半径は、ｃ1/3×4.376×10−31ｍ÷a、です。
球体の大きさは、2×ｃ1/3×4.376×10−31ｍ÷a、です。
・1秒間にできる磁気の光子のエネルギーはいくらか。
1秒間にできる磁気の光子のエネルギー＝1公転でできる磁気の光子のエネルギー×1秒間の公転数＝1.233×10−41Jm÷公転軌道×1秒間の公転数＝1.233×10−41Jm÷(8.665×10−24Jm÷電子のラブのエネルギー)(7.96×107)2＝9.016×10−3×電子のラブのエネルギー＝9.016×10−3×aJ
1秒間にできる磁気の光子のエネルギーは、9.016×10−3×aJ、です。
・全ての電子のラブが1秒間に作る磁気の光子のエネルギーはいくらか。全ての陽子のラブが作る磁気の光子のエネルギーはいくらか。
全ての電子のラブが1秒間に作る磁気の光子のエネルギー＝1秒間にできる磁気の光子のエネルギー×電子のラブの数＝9.016×10−3×aJ×ｃ＝全ての陽子のラブが作る磁気の光子のエネルギー
全ての電子のラブが1秒間に作る磁気の光子のエネルギーは、9.016×10−3×aJ×ｃ、です。
全ての陽子のラブが1秒間に作る磁気の光子のエネルギーは、9.016×10−3×aJ×ｃ、です。
・引力はいくらか。
この場合、中央の陽子のラブのコーナーと外側の電子のラブのコーナーはくっついているので、距離は問題にしなくても良い。
引力＝全ての電子のラブが1秒間に作る磁気の光子のエネルギー×全ての陽子のラブが1秒間に作る磁気の光子のエネルギー＝(9.016×10−3×aJ×ｃ)2
引力は、(9.016×10−3×aJ×ｃ)2、です。
これを表に示す。
ビッグバンの以前の前期で、球体で、陽子のラブと電子のラブは自転だけしていた時の様子。宇宙の原子数は、「請求項14」で求めた。
表12
2009296884.tif 000014
【請求項１０】
現在地表において、原子の中で、陽子のラブと電子のラブの間の引力はいくらか。
現在地表において、原子の中で、陽子のラブが1秒間に作る磁気の光子のエネルギーは、
1公転でできる磁気の光子のエネルギー×1秒間の公転数＝1.233×10−41Jm÷公転軌道×4.34×104×7.96×107回＝1.233×10−41Jm÷｛8.665×10−24Jm÷(1.5×10−10J)｝×4.34×104×7.96×107回＝1.233×10−41Jm÷(5.777×10−14ｍ)×3.455×1012回＝1.233×10−41Jm×3.455×1012回÷(5.777×10−14ｍ)＝4.260×10−29Jm÷(5.777×10−14ｍ)＝7.374×10−16J、です。
原子の中で、電子のラブが1秒間に作る磁気の光子のエネルギーは、
7.812×10−26Jm÷公転軌道＝7.812×10−26Jm÷(1.058×10−10ｍ)＝7.384×10−16J、です。
これを表に示す。
現在地表の原子の中の様子。
表13
2009296884.tif 000015
・原子の中の陽子のラブと電子のラブの間の引力はいくらか。
原子の中の引力＝陽子のラブが1秒間に作る磁気の光子のエネルギー×電子のラブが1秒間に作る磁気の光子のエネルギー÷陽子のラブと電子のラブとの距離2＝7.374×10−16J×7.384×10−16J÷(1.058×10−10ｍ)2＝5.445×10−31J÷(1.119×10−20ｍ)＝4.866×10−11J/m
原子の中の陽子のラブと電子のラブの間の引力は4.866×10−11J/mです。
【請求項１１】
ビッグバンの以前の後期、陽子のラブの集団と電子のラブの集団との距離はいくらか。ビッグバンの以前の後期、球体の大きさはいくらか。
・現在地表において、原子の中で、陽子のラブが1秒間に作る磁気の光子のエネルギーは電子の軌道までの電子のラブを引っ張っている。ビッグバンの以前の後期、陽子のラブの集団が1秒間に作る磁気の光子のエネルギーでどれくらいの軌道までの電子のラブの集団を引っ張ることができるか。
原子の中で、陽子のラブが1秒間に作る磁気の光子のエネルギーは電子の軌道までの電子のラブを引っ張っている。その引力と、ビッグバンの以前の後期、陽子のラブが1秒間に作る磁気の光子のエネルギーで、電子のラブを引っ張る引力は同じであると考える。
ビッグバンの以前の後期、陽子のラブと電子のラブの間の引力＝原子の中の、陽子のラブと電子のラブの間の引力＝4.866×10−11J/m
この理由は、球体の中央部の外側に並ぶ陽子のラブが作る磁気の光子のエネルギーと、球体の周囲の内側に並ぶ電子のラブが作る磁気の光子のエネルギーは同じであり、同じ磁気の光子のエネルギーで引き合っているからです。
ビッグバンの以前の後期の引力＝陽子のラブが1秒間に作る磁気の光子のエネルギー×電子のラブが1秒間に作る磁気の光子のエネルギー÷陽子のラブの集団と電子のラブの集団の間の距離2＝(9.016×10−3×aJ)2÷陽子のラブの集団と電子のラブの集団の間の距離2＝4.866×10−11J/m
陽子のラブの集団と電子のラブの集団の間の距離2＝(9.016×10−3×aJ)2÷(4.866×10−11J/m)＝81.288×10−6×a2J÷(4.866×10−11J/m)=1.671×106ｍ×a2
陽子のラブの集団と電子のラブの集団の間の距離＝(1.671×106ｍ×a2)1/2=1.293×103ｍ×a
よって、陽子のラブの集団と電子のラブの集団の間の距離は1.293×103×aｍです。
ビッグバンの以前の後期、球体の半径＝1.293×103×aｍです。
ビッグバンの以前の後期、球体の大きさは、2×1.293×103×aｍ＝2.586×103×aｍ、です。
【請求項１２】
ビッグバンの以前の後期、球体の中央部の集団の半径はいくらか。
現在、宇宙に存在する陽子のラブと電子のラブの数をC個とする。
球体の中央部の半径に存在する陽子のラブの数をD個とする。
中央部の体積には、宇宙に存在する全ての陽子のラブが存在していたので、
4/3×πD3個＝C個
D3個＝C個÷(4/3×π)
D=(C÷4π×3)1/3=(C÷4.187)1/3=C1/3÷1.612
中央部の半径は、
中央部の半径＝半径に存在する陽子のラブの数×陽子のラブの公転軌道＝C1/3÷1.612×8.665×10−24Jm÷1836aJ=C1/3×2.928×10−27÷a m、です。
ビッグバンの以前の後期、中央部の半径は、C1/3×2.928×10−27÷a mです。
【請求項１３】
ビッグバンの以前の後期、球体の周囲の電子のラブの集団の半径はいくらか。
球体の周囲の電子のラブの集団の半径は、中央部の半径の約2000倍ですから、
球体の周囲の電子のラブの集団の半径＝中央部の半径×2000＝C1/3×2.928×10−27÷a m×2000＝C1/3×5.856×10−24÷a m、です。
ビッグバンの以前の後期、球体の周囲の電子のラブの集団の半径は、C1/3×5.856×10−24÷a mです。
【請求項１４】
ビッグバンの以前の原子の数はいくらだったか。
「請求項11」から、ビッグバンの以前の後期、陽子のラブの集団と電子のラブの集団の間の距離は1.293×103×aｍです。
「請求項13」から、ビッグバンの以前の後期、球体の周囲の電子のラブの集団の半径は、C1/3×5.856×10−24÷a mです。
ビッグバンの以前の後期、球体の大きさ＝陽子のラブの集団と電子のラブの集団の間の距離＝球体の周囲の電子のラブの集団の半径、であるから、
1.293×103×aｍ＝C1/3×5.856×10−24÷a m
C1/3＝1.293×103×aｍ÷(5.856×10−24÷a
m)＝2.208×1026×a2 
C=(2.208×1026×a2)3＝10.765×1078×a6＝1.0765×1079×a6
ビッグバンの以前の原子の数は、1.0765×1079×a6個です。
例えば、ビッグバンの以前の電子のラブのエネルギーを１J とすると、ビッグバンの以前の原子の数は、1.077×1079個です。
例えば、ビッグバンの以前の電子のラブのエネルギーを8.665J とすると、ビッグバンの以前の原子の数は、
1.076×1079×8.6656個＝1.076×1079×650.5872個＝1.076×1079×423264＝4.554×1084個、です。
例えば、ビッグバンの以前の原子の数を10100個とすると、ビッグバンの以前の電子のラブのエネルギーは、
1.076×1079×a6個＝10100個
a6＝10100÷(1.076×1079)≒10100−79＝1021
a＝1021÷6＝103.5＝103×100.5＝103×3.162＝3162(J)、です。
表に示す。
ビッグバンの以前の原子の数。
表14
2009296884.tif 000016
【請求項１５】
ビッグバンの以前の後期、球体の引力はいくらであったか。
ビッグッバンの以前の後期、球体の中央部には陽子のラブが集まっていた。この陽子のラブの数をC個であるとする。電子のラブのエネルギーをaJとする。
球体の中央部の引力は、
球体の中央部の引力＝陽子のラブが1秒間に作る磁気の光子のエネルギー×陽子のラブの数＝9.016×10−3 ×aJ×C、です。
ビッグッバンの以前の後期、球体の周囲には電子のラブが集まっていた。この電子のラブの数をC個であるとすると、球体の周囲の引力は、
球体の周囲の引力＝電子のラブが1秒間に作る磁気の光子のエネルギー×電子のラブの数＝9.027×10−3 ×aJ×C、です。
この事によって理解できること。
1. ビッグバンの以前の後期、球体の中央部の陽子のラブ集団の引力と、周囲の電子のラブ集団の引力は同じである。それで、同じ引力で引き合っている。
【請求項１６】
ビッグバンの以前の後期、球体の中央部の陽子のラブ集団と、周囲の電子のラブ集団の間の引力はいくらか。
ビッグバンの以前の後期、球体の中央部の陽子のラブ集団と、周囲の電子のラブ集団の間の引力=
全ての陽子のラブが1秒間に作る磁気の光子のエネルギー×全ての電子のラブが1秒間に作る磁気の光子のエネルギー÷中央部の陽子のラブの半径と周囲の電子のラブ集団の半径の間の距離2＝(9.027×10−3 ×aJ×C)×(9.016×10−3×aJ×C)÷(C1/3×5.856×10−24÷a m)2＝81.387×10−6×a2×C2 J÷(C2/3×34.293×10−48÷a2 m)=2.373×1042×a4×C2÷C2/3 J/m=2.373×1042×a4×C6/3ー2/3 J/m =2.373×1042×a4×C4/3 J/m=2.373×1042×a4×C×C1/3
J/m
ビッグバンの以前の後期、球体の中央部の陽子のラブ集団と、周囲の電子のラブ集団の間の引力は、2.373×1042×a4×C×C1/3
J/mです。
○例えば、ビッグバンの以前の電子のラブのエネルギーが１Jであるとすると、原子の数は、1.077×1079個です。
全ての陽子のラブが1秒間に作る磁気の光子のエネルギー＝9.027×10−3 ×aJ×C＝全ての電子のラブが1秒間に作る磁気の光子のエネルギー＝9.016×10−3×aJ×C＝9.02×10−3×aJ×C＝9.02×10−3×１J×1.077×1079個＝9.715×1076J
中央部の陽子のラブの半径と周囲の電子のラブ集団の半径の間の距離＝球体の半径＝C1/3×5.856×10−24÷a m＝(1.077×1079個)1/3×5.856×10−24÷1  m≒1079/3×5.856×10−24m
=1026.333×5.856×10−24m=102×2.153×5.856＝1.261×103ｍ
ビッグバンの以前の後期、球体の中央部の陽子のラブ集団と、周囲の電子のラブ集団の間の引力=2.373×1042×a4×C×C1/3 J/m＝2.373×1042×14×1.077×1079個×(1.077×1079個)1/3J/m=2.556×10121×(1.077×1079個)1/3J/ｍ≒2.556×10121×1079/3 J/ｍ＝2.556×10121×1026.333 J/ｍ＝2.556×10121×1026×2.152 J/ｍ＝5.501×10147
J/ｍ
○例えば、ビッグバンの以前の電子のラブのエネルギーが8.556Jであるとすると、原子の数は、4.554×1084個です。
全ての陽子のラブが1秒間に作る磁気の光子のエネルギー＝9.027×10−3 ×aJ×C＝全ての電子のラブが1秒間に作る磁気の光子のエネルギー＝9.016×10−3×aJ×C＝9.02×10−3×aJ×C＝9.02×10−3×8.665J×4.554×1084個＝3.559×1083J
中央部の陽子のラブの半径と周囲の電子のラブ集団の半径の間の距離＝球体の半径＝C1/3×5.856×10−24÷a  m＝(4.554×1084個)1/3×5.856×10−24÷8.665
m=4.5541/3×1028×5.856×10−24÷8.665 m＝1.658×1028×5.856×10−24÷8.665m＝1.121×104ｍ
ビッグバンの以前の後期、球体の中央部の陽子のラブ集団と、周囲の電子のラブ集団の間の引力=2.373×1042×a4×C×C1/3 J/m＝2.373×1042×8.6654×4.554×1084個×(4.554×1084個)1/3 J/m =2.373×1042×5.637×103×4.554×1084個×1.658×1028 J/m＝10159 J/m
○例えば、ビッグバンの以前の電子のラブのエネルギーが3162Jであるとすると、原子の数は、10100個です。
全ての陽子のラブが1秒間に作る磁気の光子のエネルギー＝9.027×10−3 ×aJ×C＝全ての電子のラブが1秒間に作る磁気の光子のエネルギー＝9.016×10−3×aJ×C＝9.02×10−3×3162J×10100個＝2.852×10101J
中央部の陽子のラブの半径と周囲の電子のラブ集団の半径の間の距離＝球体の半径＝C1/3×5.856×10−24÷a  m＝10100/3×5.856×10−24÷3162  m=1033×2.153×5.856×10−24÷3162  m=3.987×106ｍ
ビッグバンの以前の後期、球体の中央部の陽子のラブ集団と、周囲の電子のラブ集団の間の引力=2.373×1042×a4×C×C1/3 J/m＝2.373×1042×31624×10100×10100/3 J/m =2.373×1042×100×1012×10100×1033×2.153 J/m＝5.109×10189J/m
これを表に示す。
ビッグバンの以前の後期で、球体で、陽子のラブと電子のラブは自転し、公転していた時の様子。
表１５
2009296884.tif 000017
【請求項１７】
ビッグバンの以前、前期の球体と後期の球体の比較。
ビッグバンの以前、前期の球体と後期の球体の比較。
表１６
2009296884.tif 000018
・後期の球体の半径は前期の球体の半径の何倍か。
後期の球体の半径÷前期の球体の半径＝C1/3×5.856×10−24÷a  m÷(ｃ1/3×4.376×10−31ｍ÷a)＝1.338×107(倍)
後期の球体の半径は前期の球体の半径の1.338×107倍です。
・前期の全ての陽子のラブと電子のラブが1秒間に作る磁気の光子のエネルギーは、後期の全ての陽子のラブと電子のラブが1秒間に作る磁気の光子のエネルギーの何倍か。
前期の全ての陽子のラブと電子のラブが1秒間に作る磁気の光子のエネルギー÷後期の全ての陽子のラブと電子のラブが1秒間に作る磁気の光子のエネルギー＝9.016×10−3×aJ×ｃ÷(9.02×10−3×aJ×C)＝1
前期の全ての陽子のラブと電子のラブが1秒間に作る磁気の光子のエネルギーは、後期の全ての陽子のラブと電子のラブが1秒間に作る磁気の光子のエネルギーと同じです。
・前期の引力は後期の引力の何倍か。
前期の引力÷後期の引力＝(9.016×10−3×aJ×ｃ)2
J/m÷(2.373×1042×a4×C×C1/3
J/m)＝81.288×10−6×a2J×ｃ2÷(2.373×1042×a4×C×C1/3)＝34.255×10−48÷a2×C6/3−4/3=
3.4255×10−47÷a2×C2/3
前期の引力は後期の引力の3.4255×10−47÷a2×C2/3倍です。
例えば、a=1Jの場合。
3.4255×10−47÷a2×C2/3倍＝3.4255×10−47÷1×(1.077×1079個)2/3倍≒3.4255×10−47×1079×2÷3倍＝3.4255×10−47×1052.666倍＝3.4255×10−47＋52×100.667倍=3.4255×105×4.641＝1.590×106倍
9.428×10153J/m÷(5.501×10147 J/ｍ)＝1.714×106(倍)
例えば、a=8.665Jの場合。
3.4255×10−47÷a2×C2/3倍＝3.4255×10−47÷8.6652×(4.554×1084個)2/3倍＝3.4255×10−47÷75.082×20.7391/3×1056倍＝3.4255×10−47÷75.082×2.747×1056倍＝1.253×108倍
1.266×10167J/m÷(10159 J/m)＝1.266×108(倍)
例えば、aJ=3162Jの場合。
3.4255×10−47÷a2×C2/3倍＝3.4255×10−47÷31622×(10100個) 2/3倍＝3.4255×10−47÷107×1066.666倍＝3.4255×10−47÷107＋66×4.641倍＝1.590×1027倍
8.127×10209
J/m÷(5.109×10189J/m)＝1.591×1020(倍)
この事によって理解できたこと。
1. 後期の球体の半径は前期の球体の半径の1.338×107倍です。
2. 前期の全ての陽子のラブと電子のラブが1秒間に作る磁気の光子のエネルギーは、後期の全ての陽子のラブと電子のラブが1秒間に作る磁気の光子のエネルギーと同じです。
3. 前期の引力は後期の引力の3.4255×10−47÷a2×C2/3倍です。ビッグバンの以前の電子のラブのエネルギーの2乗に反比例し、存在する原子数の2/3乗に比例する倍数になる。
【請求項１８】
ビッグバンの以前の後期、電子のラブが作った磁気の光子と電気の光子はどのようであったか。ビッグバンの以前の後期、陽子のラブが作った磁気の光子と電気の光子はどのようであったか。ビッグバンの以前の後期、電子のラブが作った磁気の光子と電気の光子の束はどのようであったか。ビッグバンの以前の後期、陽子のラブが作った磁気の光子と電気の光子の束はどのようであったか。
(１)ビッグバンの以前の後期、電子のラブが作るの光子の束について。
例えば、ビッグバンの以前の後期、電子のラブのエネルギーが１Jであったとする。
電子のラブの公転軌道は、8.665×10−24ｍです。
1個の電気の光子の軌道は、8.665×10−24ｍです。
1個の磁気の光子の軌道は、8.665×10−24ｍ×3.14÷(7.96×107)＝3.418×10−31ｍ、です。
1個の電気の光子のエネルギーは、1.423×10−18Jです。
1個の磁気の光子のエネルギーは、1.423×10−18J÷(7.96×107)＝1.788×10−26Jです。
1秒間の公転数は、(7.96×107)2回＝6.336×1015回です。
1秒間の自転数は、(7.96×107)3回＝5.044×1023回です。
1秒間に作る電気の光子と磁気の光子のエネルギーは、9.016×10−3Jです。
この1秒間に作る電気の光子と磁気の光子が1束になっている。
8.665×10−24ｍの輪に(7.96×107)2個の電気の光子が公転している。電気の光子1個のエネルギーは1.423×10−18Jです。
8.665×10−24ｍの輪に(7.96×107)3個の磁気の光子が回転している。磁気の光子の回転軌道は3.418×10−31ｍで、エネルギーは1.788×10−26Jです。
1束の光子の軌道エネルギーは、公転軌道×1秒間の電気の光子のエネルギー＝8.665×10−24ｍ×9.016×10−3J＝7.812×10−26Jmです。
(２) ビッグバンの以前の後期、陽子のラブが作るの光子の束について。
例えば、ビッグバンの以前の後期、電子のラブのエネルギーが１Jであると、陽子のラブのエネルギーは、1836Jです。
陽子のラブの公転軌道は、4.719×10−27ｍです。
1個の電気の光子の軌道は、4.719×10−27ｍです。
1個の磁気の光子の軌道は、4.719×10−27ｍ×3.14÷(4.34×104)＝3.414×10−31ｍ、です。
1個の電気の光子のエネルギーは、2.613×10−15J です。
1個の磁気の光子のエネルギーは、2.613×10−15J÷(4.34×104)＝6.021×10−20Jです。
1秒間の公転数は、4.34×104×7.96×107回＝3.455×1012回です。
1秒間の自転数は、(4.34×104)2×7.96×107回＝1.499×1017回です。
1秒間に作る電気の光子と磁気の光子のエネルギーは、9.027×10−3Jです。
この1秒間に作る電気の光子と磁気の光子が1束になっている。
4.719×10−27ｍの輪に4.34×104×7.96×107個の電気の光子が公転している。電気の光子1個のエネルギーは2.613×10−15Jです。
4.719×10−27ｍの輪に(4.34×104)2×7.96×107個の磁気の光子が回転している。磁気の光子の回転軌道は3.414×10−31ｍで、エネルギーは6.021×10−20Jです。
1束の光子の軌道エネルギーは、公転軌道×1秒間の電気の光子のエネルギー＝4.719×10−27ｍ×9.027×10−3J＝4.260×10−29Jmです。
これを表に示す。
ビッグバンの以前の後期、電子のラブが作るの光子の束と陽子のラブが作る光子の束。
表１７
2009296884.tif 000019
・陽子のラブが作った電気の光子1個のエネルギーは、電子のラブが作った電気の光子1個のエネルギーの何倍か。
陽子のラブが作った電気の光子1個のエネルギー÷電子のラブが作った電気の光子1個のエネルギー＝2.613×10−15J÷(1.423×10−18J)＝1836(倍)
陽子のラブが作った電気の光子1個のエネルギーは、電子のラブが作った電気の光子1個のエネルギーの1836倍です。
・電子のラブが1秒間に作った電気の光子の数は、陽子のラブが1秒間に作った電気の光子の数の何倍か。
電子のラブが1秒間に作った電気の光子の数÷陽子のラブが1秒間に作った電気の光子の数＝6.336×1015個÷(3.455×1012個)＝1834(倍)
電子のラブが1秒間に作った電気の光子の数は、陽子のラブが1秒間に作った電気の光子の数の1834倍です。
・陽子のラブが作った磁気の光子1個のエネルギーは、電子のラブが作った磁気の光子1個のエネルギーの何倍か。
陽子のラブが作った磁気の光子1個のエネルギー÷電子のラブが作った磁気の光子1個のエネルギー＝6.021×10−20J÷(1.788×10−26J)＝3.367×106＝(1835)2(倍)
陽子のラブが作った磁気の光子1個のエネルギーは、電子のラブが作った磁気の光子1個のエネルギーの3.367×106倍であり、これはエネルギーの差の２乗倍です。
・電子のラブが1秒間に作った磁気の光子の数は、陽子のラブが1秒間に作った磁気の光子の数の何倍か。
電子のラブが1秒間に作った磁気の光子の数÷陽子のラブが1秒間に作った磁気の光子の数＝5.044×1023個÷(1.499×1017個)＝3.365×106＝(1834)2(倍)
電子のラブが1秒間に作った磁気の光子の数は、陽子のラブが1秒間に作った磁気の光子の数の3.365×106倍であり、これはエネルギー差の２乗倍です。
・陽子のラブが作った光子の束の大きさは電子のラブが作った光子の束の1836分の1ですが、その中に存在する電気の光子のエネルギーは、1836倍です。電気の光子の数は1834分の1です。
・光子の束のエネルギー密度を、ラブが1秒間に作った光子のエネルギー÷光子の束の大きさとする。
電子のラブが作った光子の束のエネルギー密度＝電子のラブが1秒間に作った光子のエネルギー÷電子のラブが作った光子の束の大きさ＝9.016×10−3J÷(8.665×10−24ｍ)＝1.041×1021
電子のラブが作った光子の束のエネルギー密度は、1.041×1021J/mです。
陽子のラブが作った光子の束のエネルギー密度＝陽子のラブが1秒間に作った光子のエネルギー÷陽子のラブが作った光子の束の大きさ＝9.027×10−3J÷(4.719×10−27ｍ)＝1.912×1024
陽子のラブが作った光子の束のエネルギー密度は、1.912×1024 J/mです。
・陽子のラブが作った光子の束のエネルギー密度は、電子のラブが作った光子の束のエネルギー密度の何倍か。
陽子のラブが作った光子の束のエネルギー密度÷電子のラブが作った光子の束のエネルギー密度＝1.912×1024÷(1.041×1021)＝1837(倍)
陽子のラブが作った光子の束のエネルギー密度は、電子のラブが作った光子の束のエネルギー密度の1837倍です。
・光子の束の電気の光子の数の密度を、ラブが1秒間に作った電気の光子の数÷1束の大きさ、とする。
電子のラブが作った光子の束の電気の光子の数の密度＝電子のラブが1秒間に作った電気の光子の数÷電子のラブが作った光子の束の大きさ＝6.336×1015個÷(8.665×10−24ｍ)＝7.312×1038個/m
電子のラブが作った電気の光子の数の密度は、7.312×1038個/mです。
陽子のラブが作った光子の束の電気の光子の数の密度＝陽子のラブが1秒間に作った電気の光子の数÷陽子のラブが作った光子の束の大きさ＝3.455×1012個÷(4.719×10−27ｍ)＝7.321×1038個/m
陽子のラブが作った光子の束の電気の光子の数の密度は、7.321×1038個/mです。
電子のラブが作った電気の光子の数の密度と陽子のラブが作った電気の光子の数の密度は同じです。
・光子の束の磁気の光子の数の密度を、ラブが1秒間に作った磁気の光子の数÷1束の大きさ、とする。
電子のラブが作った光子の束の磁気の光子の数の密度＝電子のラブが1秒間に作った磁気の光子の数÷電子のラブが作った光子の束の大きさ＝5.044×1023個÷(8.665×10−24ｍ)＝5.821×1046個/m
電子のラブが作った光子の束の磁気の光子の数の密度は、5.821×1046個/mです。
陽子のラブが作った光子の束の磁気の光子の数の密度＝陽子のラブが1秒間に作った磁気の光子の数÷陽子のラブが作った光子の束の大きさ＝1.499×1017個÷(4.719×10−27ｍ)＝3.176×1043個/m
陽子のラブが作った光子の束の磁気の光子の数の密度は、3.176×1043個/mです。
・電子のラブが作った光子の束の磁気の光子の数の密度は、陽子のラブが作った光子の束の磁気の光子の数の密度の何倍か。
電子のラブが作った光子の束の磁気の光子の数の密度÷陽子のラブが作った光子の束の磁気の光子の数の密度＝5.821×1046個/m÷(3.176×1043個/m)＝1833(倍)
電子のラブが作った光子の束の磁気の光子の数の密度は、陽子のラブが作った光子の束の磁気の光子の数の密度の1833倍です。
・電子のラブが作った光子の束の軌道エネルギーは、陽子のラブが作った光子の束の軌道エネルギーの何倍か。
電子のラブが作った光子の束の軌道エネルギー÷陽子のラブが作った光子の束の軌道エネルギー＝7.812×10−26Jm÷(4.260×10−29Jm)＝1834(倍)
電子のラブが作った光子の束の軌道エネルギーは、陽子のラブが作った光子の束の軌道エネルギーの1834倍です。
これを表に示す。
ビッグバンの以前の後期、電子のラブが作った光子の束と、ビッグバンの以前の後期、陽子のラブが作った光子の束の比較
表１８
2009296884.tif 000020
【請求項１９】
ビッグバンの以前の後期に存在した、陽子のラブが作った電気の光子1個のエネルギーは、電子のラブが作った電気の光子1個のエネルギーの1836倍もあったのに、現在背景放射になっている電気の光子のエネルギーは同じエネルギー(温度)であるのはなぜか。
私は、2007年9月28日に提出した、特願2007−279617．「請求項10」で、次のように記した。
この事によって何が理解できるか。
１．1束の光子数が多い光子ほど、光子のエネルギーの減少率は小さい。
２．光子のエネルギーの減少率は、1束の光子の数×109に反比例する。
３．光子の軌道が小さいほど、1束の光子数は多く、かつ、エネルギーの減少率は小さい。
４．背景放射の場合は、1個の光子のエネルギーが1016個の光子のエネルギーである。
○この理解をもとに、ビッグバンの以前の後期にできた、光子の束の電気の光子のエネルギーが、現在、地表でどのように成っているかを考える。
１．1束の光子数が多い光子ほど、光子のエネルギーの減少率は小さい。
この事から理解できること。
電子のラブが作った光子の束の電気の光子の数は1836倍ですから光子のエネルギーの減少率は少ないです。
陽子のラブが作った光子の束のほうが、電気の光子の数は1倍ですから光子のエネルギーの減少率は大きい。
陽子のラブが作った電気の光子1個のエネルギーは、1836倍です。このエネルギーの減少率は大きい。
陽子のラブが作った電気の光子1個のエネルギーの減少率は大きい。それで、陽子のラブが作った電気の光子のエネルギーと、電子のラブが作った電気の光子のエネルギーの差は小さくなる。
２．光子のエネルギーの減少率は、1束の光子の数×109に反比例する。
この事から理解できること。
電子のラブが作った光子の束には、6.336×1015個の電気の光子が存在する。
光子のエネルギーの減少率は、1束の光子の数×109分の1ですから、6.336×1015個×10−9＝6.336×106個分になる。
陽子のラブが作った光子の束には、3.455×1012個の電気の光子が存在する。
光子のエネルギーの減少率は、1束の光子の数×109分の1ですから、3.455×1012個×10−9＝3.455×103個分になる。
陽子のラブが作る光子の束の電気の光子1個のエネルギーは1836倍ですから、
光子の束の電気の光子１個のエネルギーは、光子の束の電気の光子の減少率×電気の光子1個のエネルギー＝3.455×103個分×1836倍＝6.343×106になる。
電子のラブが作る光子の束の電気の光子1個のエネルギーは1倍ですから、
光子の束の電気の光子１個のエネルギーは、光子の束の電気の光子の減少率×電気の光子1個のエネルギー＝6.336×106個分×1倍＝6.336×106になる。
よって、電子のラブが作った光子の束の電気の光子１個のエネルギーと陽子のラブが作った光子の束の電気の光子１個のエネルギーは同じに成る。
この事によって、ビッグバンの以前にできた、陽子のラブが作った電気の光子1個のエネルギーは、電子のラブが作った電気の光子1個のエネルギーの1836倍であったのに、現在、背景放射になっている電気の光子のエネルギーがほぼ同じエネルギー(温度)になっている理由が理解できる。
【請求項２０】
天王星の自転軸は公転軌道面に垂直な直線に対して約98度傾いていて、海王星の自転軸は公転軌道面に垂直な直線に対して28.8度傾いているのはどうしてか。
私は、2009年5月11日に提出した、特願2009−114091の「請求項26」で、次のことを理解した。
この事を表にしめす。
表１９
2009296884.tif 000021
銀河系の腕は、螺旋回転しています。太陽系は、銀河系の中央のブラックホールより、より近くに存在する腕の中央のブラックホールの質量の影響を強く受けています。天王星と海王星は螺旋回転しています。天王星と海王星は、太陽より遠く離れているので、自分の中央に存在する金属水素の質量の影響を強く受けています。そして、太陽からの影響を受けています。それが自転軸の傾きに現れています。
自転軸の傾きは、中央部の金属水素の質量÷太陽からの距離、に比例する。
天王星の自転軸は公転軌道面に垂直な直線に対して約98度傾いている。天王星の中央の金属水素の質量は地球の質量の約10倍です。そして、太陽からの距離は、28.750×108Kmです。
海王星の自転軸は公転軌道面に垂直な直線に対して28.8度傾いている。海王星の中央の金属水素の質量は地球の質量の約4.31倍です。太陽からの距離は、45.044×108Km離です。
この事を証明する。
天王星の場合。
中央部の金属水素の質量(地球の質量の何倍か。)÷太陽からの距離＝10倍÷(28.750×108Km)＝0.348
0.348×比例定数＝98度
比例定数＝98度÷0.348＝282
海王星の場合。
中央部の金属水素の質量(地球の質量の何倍か。)÷太陽からの距離＝4.31倍÷(45.044×108Km)＝0.0957
0.0957×比例定数＝28.8度
比例定数＝28.8度÷0.0957＝301
もし、比例定数を天王星の場合と同じにすると、
0.0957×282＝27度、です。
【請求項２１】
惑星の軌道エネルギー＝惑星の表面の原子数×惑星の1原子の電子のラブがが1公転で作る電気の光子のエネルギー＝7.602×1033個×1.743×10−23JKm÷距離。この式から、惑星の表面の原子の電子のラブの公転軌道を求める。
惑星の表面の1原子の電子のラブが1公転で作る電気の光子のエネルギー＝1.743×10−23JKm÷距離
電気の光子の軌道＝1.233×10−41Jm÷(1.743×10−23JKm÷距離)
地球の場合。
地球の表面の1原子の電子のラブが1公転で作る電気の光子のエネルギー＝1.743×10−23JKm÷距離＝1.743×10−23JKm÷(1.496×108Km)＝1.165×10−31J
この電気の光子の軌道は、
1.233×10−41Jm÷(1.165×10−31J)＝1.058×10−10ｍ、です。
電子のラブが公転して、電気の光子を作るので、電気の光子の軌道＝電子のラブの公転軌道です。
電子のラブの公転軌道は、1.058×10−10ｍです。
水星の場合。
水星の表面の1原子の電子のラブが1公転で作る電気の光子のエネルギー＝1.743×10−23JKm÷距離＝1.743×10−23JKm÷(0.579×108Km)＝3.010×10−31J
電子のラブの公転軌道＝1.233×10−41Jm÷(3.010×10−31J)＝4.096×10−11ｍ
金星の場合。
金星の表面の1原子の電子のラブが1公転で作る電気の光子のエネルギー＝1.743×10−23JKm÷距離＝1.743×10−23JKm÷(1.082×108Km)＝1.611×10−31J
電子のラブの公転軌道＝1.233×10−41Jm÷(1.611×10−31J)＝7.654×10−11ｍ
火星の表面の1原子の電子のラブが1公転で作る電気の光子のエネルギー＝1.743×10−23JKm÷距離＝1.743×10−23JKm÷(2.279×108Km)＝7.648×10−32J
電子のラブの公転軌道＝1.233×10−41Jm÷(7.648×10−32J)＝1.612×10−10ｍ
木星の表面の1原子の電子のラブが1公転で作る電気の光子のエネルギー＝1.743×10−23JKm÷距離＝1.743×10−23JKm÷(7.783×108Km)＝2.239×10−32J
電子のラブの公転軌道＝1.233×10−41Jm÷(2.239×10−32J)＝5.507×10−10ｍ
土星の表面の1原子の電子のラブが1公転で作る電気の光子のエネルギー＝1.743×10−23JKm÷距離＝1.743×10−23JKm÷(14.294×108Km)＝1.219×10−32J
電子のラブの公転軌道＝1.233×10−41Jm÷(1.219×10−32J)＝1.011×10−9ｍ
天王星の表面の1原子の電子のラブが1公転で作る電気の光子のエネルギー＝1.743×10−23JKm÷距離＝1.743×10−23JKm÷(28.750×108Km)＝6.063×10−33J
電子のラブの公転軌道＝1.233×10−41Jm÷(6.063×10−33J)＝2.034×10−9ｍ
海王星の表面の1原子の電子のラブが1公転で作る電気の光子のエネルギー＝1.743×10−23JKm÷距離＝1.743×10−23JKm÷(45.044×108Km)＝3.870×10−33J
電子のラブの公転軌道＝1.233×10−41Jm÷(3.870×10−33J)＝3.186×10−9ｍ
このデーターは、輻射量から計算した電子のラブの公転軌道と同じ値です。それは、2008年10月17日に提出した、特願2008−268538．「宇宙11」の「請求項15」に記した。
【請求項２２】
惑星において、熱に成る電気の光子の軌道とエネルギーはいくらか。熱になる電気の光子の軌道＝電子のラブの公転軌道÷(4.824×10−6)の式により求める。
私は、2009年6月19日に提出した、特願2009−145952．「熱と引力」の「請求項16」で、熱になる電気の光子の軌道＝電子のラブの軌道÷(4.824×10−6)、であると理解した。
この式により、惑星において、熱に成る電気の光子の軌道とエネルギーを求める。
水星の場合。
熱になる電気の光子の軌道＝電子のラブの公転軌道÷(4.824×10−6)＝4.096×10−11ｍ÷(4.824×10−6)＝8.491×10−6ｍ
電気の光子のエネルギー＝1.233×10−41Jm÷(8.491×10−6ｍ)＝1.452×10−36J
金星の場合。
熱になる電気の光子の軌道＝電子のラブの公転軌道÷(4.824×10−6)＝7.654×10−11ｍ÷(4.824×10−6)＝1.587×10−5ｍ
電気の光子のエネルギー＝1.233×10−41Jm÷(1.587×10−5ｍ)＝7.769×10−37J
地球の場合。
熱になる電気の光子の軌道＝電子のラブの公転軌道÷(4.824×10−6)＝1.058×10−10ｍ÷(4.824×10−6)＝2.193×10−5ｍ
電気の光子のエネルギー＝1.233×10−41Jm÷(2.193×10−5ｍ)＝5.622×10−37J
火星の場合。
熱になる電気の光子の軌道＝電子のラブの公転軌道÷(4.824×10−6)＝1.612×10−10ｍ÷(4.824×10−6)＝3.342×10−5ｍ
電気の光子のエネルギー＝1.233×10−41Jm÷(3.342×10−5ｍ)＝3.689×10−37J
木星の場合。
熱になる電気の光子の軌道＝電子のラブの公転軌道÷(4.824×10−6)＝5.507×10−10ｍ÷(4.824×10−6)＝1.142×10−4ｍ
電気の光子のエネルギー＝1.233×10−41Jm÷(1.142×10−4ｍ)＝1.080×10−37J
土星の場合。
熱になる電気の光子の軌道＝電子のラブの公転軌道÷(4.824×10−6)＝1.011×10−9ｍ÷(4.824×10−6)＝2.096×10−4ｍ
電気の光子のエネルギー＝1.233×10−41Jm÷(2.096×10−4ｍ)＝5.888×10−38J
天王星の場合。
熱になる電気の光子の軌道＝電子のラブの公転軌道÷(4.824×10−6)＝2.034×10−9ｍ÷(4.824×10−6)＝4.216×10−4ｍ
電気の光子のエネルギー＝1.233×10−41Jm÷(4.216×10−4ｍ)＝2.925×10−38J
海王星の場合。
熱になる電気の光子の軌道＝電子のラブの公転軌道÷(4.824×10−6)＝3.186×10−9ｍ÷(4.824×10−6)＝6.604×10−4ｍ
電気の光子のエネルギー＝1.233×10−41Jm÷(6.604×10−4ｍ)＝1.867×10−38J
【請求項２３】
輻射量1/2の電気の光子は何個の電気の光子であるか。
この問題は、2009年5月11日に提出した、特願2009−114091．「宇宙12」の「請求項13」の再考察です。
「請求項13」では、輻射熱は、波長が2×2.066×10−5ｍの赤外線であると考えた。
しかし、惑星の場の軌道エネルギーが異なるので、熱になる電気の光子の軌道とエネルギーは各々異なる。
輻射量1/2の電気の光子数＝輻射量1/2の電気の光子のエネルギー÷電気の光子１個のエネルギー
水星の場合。
輻射量1/2の電気の光子数＝輻射量1/2の電気の光子のエネルギー÷電気の光子１個のエネルギー＝3.009×10−31Jm÷(1.452×10−36J)＝2.072×105個
金星の場合。
輻射量1/2の電気の光子数＝輻射量1/2の電気の光子のエネルギー÷電気の光子１個のエネルギー＝1.610×10−31Jm÷(7.769×10−37J)＝2.072×105個
地球の場合。
輻射量1/2の電気の光子数＝輻射量1/2の電気の光子のエネルギー÷電気の光子１個のエネルギー＝1.165×10−31Jm÷(5.622×10−37J)＝2.072×105個
火星の場合。
輻射量1/2の電気の光子数＝輻射量1/2の電気の光子のエネルギー÷電気の光子１個のエネルギー＝7.632×10−32Jm÷(3.689×10−37J)＝2.069×105個
木星の場合。
輻射量1/2の電気の光子数＝輻射量1/2の電気の光子のエネルギー÷電気の光子１個のエネルギー＝2.241×10−32Jm÷(1.080×10−37J)＝2.075×105個
土星の場合。
輻射量1/2の電気の光子数＝輻射量1/2の電気の光子のエネルギー÷電気の光子１個のエネルギー＝1.222×10−32Jm÷(5.888×10−38J)＝2.075×105個
天王星の場合。
輻射量1/2の電気の光子数＝輻射量1/2の電気の光子のエネルギー÷電気の光子１個のエネルギー＝6.654×10−33Jm÷(2.925×10−38J)＝2.070×105個
海王星の場合。
輻射量1/2の電気の光子数＝輻射量1/2の電気の光子のエネルギー÷電気の光子１個のエネルギー＝3.864×10−33Jm÷(1.867×10−38J)＝2.070×105個
これを表に示す。
表２０
2009296884.tif 000022
この事によって理解できる事。
1. 地球に到達する輻射量を１としたとき、惑星に到達する輻射量1/2の電気の光子の数は2.07×105個で一定です。
2. 私は、従来、たどり着く光子のエネルギーと出発した光子のエネルギーについて、電気の光子1個のエネルギーを単位として計算してきた。この考えは正しい。
例えば、たどり着く光子のエネルギー＝Ｋｍ×aJ÷（2×走った距離）。aJ＝出発した光子のエネルギーとＫについて。（2007年9月28日に提出した、特願2007−279617．「請求項5」）この式は、2004年6月11日に提出した特願2004−202496に記した。
惑星にたどり着く電気の光子1個のエネルギー＝太陽を出発する電気の光子1個のエネルギー×見かけ上に換算する定数÷距離、の式を再考する。(2009年5月11日に提出した、特願2009−114091．の「請求項7」)、等です。
【発明の詳細な説明】
【技術分野】
【０００１】
この発明は、背景放射に関する。ビッグバンの以前、どのようであったかに関する。海王星の自転軸は公転軌道面に垂直な直線に対して28.8度傾いている理由に関する。惑星の軌道エネルギーに関する。
【背景技術】
【０００２】
背景放射の軌道エネルギーは、3.769×10−26Jmです。これがどのようにできたのかについての詳細は理解されていない。ビッグバンの以前の状態の詳細については理解されていない。海王星の自転軸は公転軌道面に垂直な直線に対して28.8度傾いている理由については理解されていない。惑星の軌道エネルギーに関しては理解されていない。
【先行技術文献】
【特許文献】
【０００３】
【特許文献１】特願2007−279617
【特許文献２】特願2008−268538
【特許文献３】特願2009−114091
【特許文献４】特願2009−145952
【発明の概要】
【発明が解決しようとする課題】
【０００４】
１．背景放射は、ビッグバンの以前、何であったのか。
２．ビッグバンの以前、背景放射は電子のラブではなかった。ビッグバンの以前、背景放射は陽子のラブではなかった。
３．背景放射が示す事は何か。ビッグバンの以前、電子のラブと陽子のラブは、球体であった事は何を示すか。
４．ビッグバンの以前、電子のラブが1秒間に作った磁気の光子と電気の光子の公転軌道エネルギーは、背景放射の公転軌道エネルギーである。
５．ビッグバンの以前の状態はどのようであったか。
６．ビッグバンの以前の球体には、現在宇宙に存在する全ての電子のラブと陽子のラブが集まっていた。この事は何を意味するか。
７．ビッグバンの以前、引力はいくらであったか。ビッグバンの以前の引力は、現在の地表の引力の何倍か。
８．ビッグバンの以前の球体の状態を２つに分類する。
９．ビッグバンの以前の前期で、球体の中で、陽子のラブと電子のラブは自転だけしていたとき。球体の大きさはいくらか。全ての磁気の光子のエネルギーはいくらか。引力はいくらか。
１０．現在地表において、原子の中で、陽子のラブと電子のラブの間の引力はいくらか。
１１．ビッグバンの以前の後期、陽子のラブの集団と電子のラブの集団との距離はいくらか。ビッグバンの以前の後期、球体の大きさはいくらか。
１２．ビッグバンの以前の後期、球体の中央部の集団の半径はいくらか。
１３．ビッグバンの以前の後期、球体の周囲の電子のラブの集団の半径はいくらか。
１４．ビッグバンの以前の原子の数はいくらだったか。
１５．ビッグバンの以前の後期、球体の引力はいくらであったか。
１６．ビッグバンの以前の後期、球体の中央部の陽子のラブ集団と、周囲の電子のラブ集団の間の引力はいくらか。
１７．ビッグバンの以前、前期の球体と後期の球体の比較。
１８．ビッグバンの以前の後期、電子のラブが作った磁気の光子と電気の光子はどのようであったか。ビッグバンの以前の後期、陽子のラブが作った磁気の光子と電気の光子はどのようであったか。ビッグバンの以前の後期、電子のラブが作った磁気の光子と電気の光子の束はどのようであったか。ビッグバンの以前の後期、陽子のラブが作った磁気の光子と電気の光子の束はどのようであったか。
１９．ビッグバンの以前の後期に存在した、陽子のラブが作った電気の光子1個のエネルギーは、電子のラブが作った電気の光子1個のエネルギーの1836倍もあったのに、現在背景放射になっている電気の光子のエネルギーは同じエネルギー(温度)であるのはなぜか。
２０．天王星の自転軸は公転軌道面に垂直な直線に対して約98度傾いていて、海王星の自転軸は公転軌道面に垂直な直線に対して28.8度傾いているのはどうしてか。
２１．惑星の軌道エネルギー＝惑星の表面の原子数×惑星の1原子が1公転で作る電気の光子のエネルギー＝7.602×1033個×1.743×10−23JKm÷距離。この式から、惑星の表面の原子の電子のラブの公転軌道を求める。
２２．惑星において、熱に成る電気の光子の軌道とエネルギーはいくらか。熱になる電気の光子の軌道＝電子のラブの軌道÷(4.824×10−6)の式により求める。
２３．輻射量1/2の電気の光子は何個の電気の光子であるか。
【課題を解決するための手段】
【０００５】
背景放射の軌道エネルギーは、3.769×10−26Jmです。現在、地上で、電子のラブが1秒間に作る電気の光子のエネルギーと磁気の光子のエネルギーは、それぞれ、7.382×10−16Jです。電子のラブの公転軌道は、1.058×10−10ｍです。電子のラブが1秒間公転し作る電気の光子のエネルギー×公転軌道＝1秒間にできる光子の公転軌道エネルギー＝7.382×10−16J×1.058×10−10ｍ＝7.810×10−26Jm、です。これが背景放射になっている。背景放射は、電子のラブが1秒間公転して作ったエネルギーが1束に成りできた物です。背景放射は電子のラブの公転によらずにはできなかった。背景放射はただ偶然にエネルギーが寄せ集められできたものではない。この見解により、背景放射はビッグバンの以前の球体でできたと判断する。
ビッグバンの以前、初め、球体の中の陽子のラブと電子のラブは自転していた。そして、引力を作っていた。その引力で結合していた。
ビッグバンの以前、後期、球体の中の陽子のラブと電子のラブは自転し公転していた。そして、電気の光子と磁気の光子を作っていた。電気の光子と磁気の光子は束になった。これが現在背景放射として観察されている。
それで、ビッグバンの以前の球体を、陽子のラブと電子のラブが自転だけしていた時と、自転し公転していた時に分類する。
その時、球体の大きさはどれくらいで、磁気の光子のエネルギーはいくらで、全体の磁気の光子のエネルギーはいくらで、陽子のラブの集団と電子のラブの集団の引力はいくらであったのか、を理解する。これを比較する。
背景放射になった、ビッグバンの以前、球体の中で、陽子のラブが作った光子の束と電子のラブが作った光子の束、について理解する。
背景放射の初めを理解する。
天王星の自転軸は公転軌道面に垂直な直線に対して約98度傾いていて、海王星の自転軸は公転軌道面に垂直な直線に対して28.8度傾いているのは、中央の金属水素の質量と太陽からの距離が原因です。
【発明の効果】
【０００６】
次のことが理解できた。
１．電子のラブが1秒間公転し作る電気の光子のエネルギー×公転軌道＝1秒間にできる磁気の光子の公転軌道エネルギー＝7.382×10−16J×1.058×10−10ｍ＝7.810×10−26Jm
背景放射はこの電子のラブが1秒間公転して作る電気の光子のエネルギーが1束に成っている。
２．背景放射の軌道エネルギーは、ビッグバンの以前、電子のラブが1秒間に作る電気の光子のエネルギー×公転軌道、です。これが1束になっている。
３．ビッグバンの以前に、陽子のラブが作った光子の束の軌道エネルギーは、4.260×10−29Jmである。
４．1秒間にできる電気の光子の公転軌道エネルギー÷電子のラブの公転軌道エネルギー＝7.810×10−26Jm÷（8.665×10−24Jm）＝9.013×10−3（倍）
５．ラブの公転軌道エネルギーは、ビッグバンの以前も現在地表も8.665×10−24Jｍです。
６．背景放射は、電子のラブが1秒間に作った電気の光子の公転軌道エネルギーの約1/2に成っている。
７．「請求項1」の、背景放射は、ビッグバンの以前、何であったのかにより理解できた事。
1. もしかしたら、磁気の光子はエネルギーが小さいので、消えてなくなってしまったのかもしれない。
2. 背景放射の温度から、背景放射のエネルギーを算出したので、背景放射の公転軌道エネルギーの中には、磁気の光子のエネルギーは含まれて居ない。
3. よって、背景放射のエネルギーは電磁気のエネルギーではない。電気の光子のエネルギーです。
4. 背景放射の公転軌道エネルギーは、3.769×10−26Jmです。この値は、現在、地表で、1秒間にできる電気の光子の公転軌道エネルギーの0.483倍です。
5. ビッグバンの以前、電子のラブが1秒間に作った磁気の光子と電気の光子の公転軌道エネルギーは、背景放射の公転軌道エネルギーである。
6. 光子の軌道エネルギーは普遍です。ビッグバンの以前にできた、電気の光子の公転軌道エネルギーが136億年走り続けた今でも同じ軌道エネルギーです。この事は、光子の軌道エネルギーは普遍である証拠です。
7．よって、電気の光子1個の公転軌道エネルギーは、どのような高エネルギーの場においても、低エネルギーの場においても、1.233×10−41Jmである。
８．宇宙背景放射は、1.594×1024倍に拡大したのに対し、陽子のラブの自転軌道と、電子のラブの自転軌道は、ビッグバンの以前の自転軌道の6.664×109倍に拡大した理由は、その中に、陽子のラブと電子のラブが存在するからです。この理解から、背景放射の中には、電子のラブは存在しない。背景放射の中には、陽子のラブは存在しない事が判明した。
９．背景放射は、ビッグバンの以前、電子のラブの光子（電子のラブの粒子）ではない。
背景放射は、ビッグバンの以前、陽子のラブの光子（電子のラブの粒子）ではない。
１０．背景放射のエネルギーは、2.73Kです。背景放射は熱であるから、電気の光子のエネルギーです。この事から理解できる事は、ビッグバンの以前、電子のラブは公転し、電気の光子を作っていた。ということです。
１１．ビッグバンの以前、電子のラブと陽子のラブは、球体になっていたことは、電子のラブと陽子のラブは自転し、磁気の光子を作っていた証拠です。
１２．光子の軌道エネルギーは変わらない。
１３．ビッグバンの以前の球体には、現在宇宙に存在する全ての電子のラブと陽子のラブが集まるだけの引力があった事を意味する。引力は磁気の光子が作る。磁気の光子は電子のラブと陽子のラブの自転によりできる。この事は、ビッグバンの以前、電子のラブと陽子のラブは自転し、引力となる磁気の光子を作っていた事を示す。
１４．ビッグバンの以前の様子を表のように理解した。
１５．ビッグバンの以前の球体の状態を２つに分類する。1つは、ビッグバンの以前の前期で、球体で、陽子のラブと電子のラブは自転だけしていた時。２つは、ビッグバンの以前の後期で、球体で、陽子のラブと電子のラブは自転と公転をしていた時。
１６．ビッグバンの以前の前期で、球体で、陽子のラブと電子のラブは自転だけしていた時の様子を表のように理解した。
１７．現在地表の原子の中の様子を表のように理解した。
１８．ビッグバンの以前の後期の、電子のラブのエネルギーをaJとする。ビッグバンの以前の後期の陽子のラブと電子のラブの間の引力＝原子の中の、陽子のラブと電子のラブの間の引力＝4.866×10−11J/m、と考えると、陽子のラブの集団と電子のラブの集団の間の距離は1.293×103×aｍです。
１９．現在、宇宙に存在する陽子のラブと電子のラブの数をC個とする。ビッグバンの以前の後期、中央部の半径は、C1/3×2.928×10−27÷a mです。
２０．ビッグバンの以前の後期、球体の周囲の電子のラブの集団の半径は、C1/3×5.856×10−24÷a mです。
２１．ビッグバンの以前の原子の数は、1.0765×1079×a6個です。
２２．ビッグバンの以前の原子の数を表のように理解した。
２３．ビッグバンの以前の後期、球体の中央部の陽子のラブ集団の引力と、周囲の電子のラブ集団の引力は同じである。それで、同じ引力で引き合っている。
２４．ビッグバンの以前の後期、球体の中央部の陽子のラブ集団と、周囲の電子のラブ集団の間の引力は、2.373×1042×a4×C×C1/3
J/mです。
２５．ビッグバンの以前の後期の球体の様子を表のように理解した。
２６．「請求項17」のビッグバンの以前、前期の球体と後期の球体の比較によって理解できたこと。
1. 後期の球体の半径は前期の球体の半径の1.338×107倍です。
2. 前期の全ての陽子のラブと電子のラブが1秒間に作る磁気の光子のエネルギーは、後期の全ての陽子のラブと電子のラブが1秒間に作る磁気の光子のエネルギーと同じです。
3. 前期の引力は後期の引力の3.4255×10−47÷a2×C2/3倍です。
２７．ビッグバンの以前の後期、電子のラブが作った磁気の光子と電気の光子はどのようであったか。ビッグバンの以前の後期、陽子のラブが作った磁気の光子と電気の光子はどのようであったか。ビッグバンの以前の後期、電子のラブが作った磁気の光子と電気の光子の束はどのようであったか。ビッグバンの以前の後期、陽子のラブが作った磁気の光子と電気の光子の束はどのようであったかを表のように理解した。
２８．ビッグバンの以前の後期、電子のラブが作った光子の束と、ビッグバンの以前の後期、陽子のラブが作った光子の束を比較し、表のように理解した。
２９．ビッグバンの以前の後期に存在した、陽子のラブが作った電気の光子1個のエネルギーは、電子のラブが作った電気の光子1個のエネルギーの1836倍もあったのに、現在背景放射になっている電気の光子のエネルギーは同じエネルギー(温度)であるのは、1束の光子数が多い光子ほど、光子のエネルギーの減少率は小さく、光子のエネルギーの減少率は、1束の光子の数×109に反比例するからです。
３０．天王星の自転軸は公転軌道面に垂直な直線に対して約98度傾いていて、海王星の自転軸は公転軌道面に垂直な直線に対して28.8度傾いているのは、螺旋回蓮している原因が中央の金属水素の質量と太陽からの距離による。
３１．惑星の軌道エネルギー＝惑星の表面の原子数×惑星の表面の１原子の電子のラブが1公転で作る電気の光子のエネルギー＝7.602×1033個×1.743×10−23JKm÷距離。
惑星の表面の1原子の電子のラブが1公転で作る電気の光子のエネルギー＝1.743×10−23JKm÷距離
惑星の表面の１原子の電子のラブの公転軌道＝電気の光子の軌道＝1.233×10−41Jm÷電気の光子のエネルギー＝1.233×10−41Jm÷(1.743×10−23JKm÷距離)
３２．惑星において、熱に成る電気の光子の軌道とエネルギーはいくらか。熱になる電気の光子の軌道＝電子のラブの公転軌道÷(4.824×10−6)の式により求めることができた。
熱になる電気の光子１個のエネルギー＝1.233×10−41Jm÷熱になる電気の光子の軌道
惑星において、熱に成る電気の光子の軌道とエネルギーを表のように理解した。
３３．輻射量1/2の電気の光子数＝輻射量1/2の電気の光子のエネルギー÷電気の光子１個のエネルギー＝2.07×105個
３４．「請求項23」により理解できた事。
1. 地球に到達する輻射量を１としたとき、惑星に到達する輻射量1/2の電気の光子の数は2.07×105個で一定です。
2. 私は、従来、たどり着く光子のエネルギーと出発した光子のエネルギーについて、電気の光子1個のエネルギーを単位として計算してきた。この考えは正しい。
例えば、たどり着く光子のエネルギー＝Ｋｍ×aJ÷（2×走った距離）。aJ＝出発した光子のエネルギーとＫについて。（2007年9月28日に提出した、特願2007−279617．「請求項5」）この式は、2004年6月11日に提出した特願2004−202496に記した。
惑星にたどり着く電気の光子1個のエネルギー＝太陽を出発する電気の光子1個のエネルギー×見かけ上に換算する定数÷距離、の式を再考する。(2009年5月11日に提出した、特願2009−114091．の「請求項7」)、等です。
【図面の簡単な説明】
【０００７】
【図１】ビッグバンの以前の前期、球体の中の陽子のラブと電子のラブは、自転だけしていた。自転し、引力である磁気の光子を作っていた。
【図２】ビッグバンの以前の後期、球体の中の陽子のラブと電子のラブは、自転し公転していた。中央部の陽子のラブが1秒間に作る磁気の光子のエネルギーと、周囲の電子のラブが1秒間に作る磁気の光子のエネルギーは等しい。中央部の陽子のラブと周囲の電子のラブの引力は、原子の中の陽子のラブと電子のラブの引力に等しい。
【発明を実施するための形態】
【０００８】
１．  背景放射は、ビッグバンの以前、何であったのか。
背景放射は、ビッグバンの以前、電子のラブが自転し作る磁気の光子であり、電子のラブが公転し作る電気の光子であった。
背景放射は、ビッグバンの以前、陽子のラブが自転し作る磁気の光子であり、陽子のラブが公転し作る電気の光子であった。
それは、どうして判るか。
電子のラブの場合。
現在、地上で、電子のラブが1秒間に作る電気の光子のエネルギーと磁気の光子のエネルギーは、それぞれ、7.382×10−16Jです。電子のラブの公転軌道は、1.058×10−10ｍです。
電子のラブが1秒間自転し作る磁気の光子のエネルギー×公転軌道＝1秒間にできる磁気の光子の公転軌道エネルギー＝7.382×10−16J×1.058×10−10ｍ＝7.810×10−26Jm
電子のラブが1秒間公転し作る電気の光子のエネルギー×公転軌道＝1秒間にできる磁気の光子の公転軌道エネルギー＝7.382×10−16J×1.058×10−10ｍ＝7.810×10−26Jm
背景放射はこの電子のラブが1秒間公転して作る電気の光子のエネルギーが1束に成っている。
背景放射の温度からエネルギーを算出したので、これは、電気の光子のエネルギーです。
それで、
背景放射の軌道エネルギーは、ビッグバンの以前、電子のラブが1秒間に作る電気の光子のエネルギー×公転軌道、です。これが1束になっている。
陽子のラブの場合。
現在、地上で、陽子のラブが1秒間に作る電気の光子のエネルギーと磁気の光子のエネルギーは、それぞれ、4.02×10−19Jです。陽子のラブの公転軌道は、5.777×10−14ｍです。
陽子のラブが1秒間自転し作る磁気の光子のエネルギー×公転軌道＝1秒間にできる磁気の光子の公転軌道エネルギー＝4.02×10−19J×5.777×10−14ｍ＝2.322×10−32Jm
陽子のラブが1秒間公転し作る電気の光子のエネルギー×公転軌道＝1秒間にできる磁気の光子の公転軌道エネルギー＝4.02×10−19J×5.777×10−14ｍ＝2.322×10−32Jm
陽子のラブが1秒間に作った光子のエネルギー×公転軌道は2.322×10−32Jmであり、とても小さいので、現在、地上では発見できない。
しかし、私は、「請求項18」に、ビッグバンの以前に、陽子のラブが作った光子の束の軌道エネルギーは、4.260×10−29Jmである、と記した。
・電子のラブの場合、1秒間にできる光子の公転軌道エネルギーは、電子のラブの公転軌道エネルギーの何倍か。
1秒間にできる電気の光子の公転軌道エネルギー÷電子のラブの公転軌道エネルギー＝7.810×10−26Jm÷（8.665×10−24Jm）＝9.013×10−3（倍）
電子のラブの場合、1秒間にできる光子の公転軌道エネルギーは、電子のラブの公転軌道エネルギーの9.013×10−3倍です。
それで、ビッグバンの以前も、電子のラブは、電子のラブの公転軌道エネルギーの9.013×10−3倍の光子を作っていた。
即ち、7.810×10−26Jmの公転軌道エネルギーの光子を作っていた。これが背景放射です。
・ビッグバンの以前、電子のラブと陽子のラブの公転軌道エネルギーはいくらか。
ビッグバンの以前、電子のラブが1秒間に作る公転軌道エネルギーと、現在、地表で電子のラブが1秒間に作る公転軌道エネルギーは等しい。この事は、電子のラブの公転軌道エネルギーは、ビッグバンの以前も、現在、地表も同じであるという事です。
即ち、ラブの公転軌道エネルギーは、ビッグバンの以前も現在地表も8.665×10−24Jｍです。
・背景放射は、3.769×10−26Jmです。この値は、現在、地表で、1秒間にできる光子の公転軌道エネルギーの何倍か。
3.769×10−26Jm÷（7.810×10−26Jm）＝0.483（倍）
背景放射は、電子のラブが1秒間に作った電気の光子の公転軌道エネルギーの約1/2に成っている。
即ち、背景放射とは、ビッグバンの以前、電子のラブが1秒間に作った光子のエネルギー×公転軌道です。
・背景放射が電磁気(電気の光子と磁気の光子)であるとする場合。
背景放射の軌道エネルギーは3.769×10−26Jmです。
地上で、電子のラブが1秒間に作る磁気の光子のエネルギー＋電子の光子のエネルギー＝2×7.382×10−16J＝1.476×10−15J、です。
電子のラブが1秒間に作る磁気の光子と電気の光子のエネルギー×公転軌道＝1.476×10−15J×1.058×10−10ｍ＝1.562×10−25Jm
・ビッグバンの時も、現在、地上で、電子のラブが1秒間に作る磁気の光子のエネルギー＋電気の光子のエネルギー×公転軌道＝1.562×10−25Jmと同じ公転軌道エネルギーを作っていたとすると、背景放射の軌道エネルギーは何倍になったか。
背景放射の軌道エネルギー÷ビッグバンの時の電磁気の公転軌道エネルギー＝3.769×10−26Jm÷(1.562×10−25Jm)＝2.413×10−1(倍)
背景放射の軌道エネルギーは、ビッグバンの時の電磁気の公転軌道エネルギーの2.413×10−1倍です。
この事から理解できること。
1. もしかしたら、磁気の光子はエネルギーが小さいので、消えてなくなってしまったのかもしれない。
2. 背景放射の温度から、背景放射のエネルギーを算出したので、背景放射の公転軌道エネルギーの中には、磁気の光子のエネルギーは含まれて居ない。
3. よって、背景放射のエネルギーは電磁気のエネルギーではない。電気の光子のエネルギーです。
4. 背景放射の公転軌道エネルギーは、3.769×10−26Jmです。この値は、現在、地表で、1秒間にできる電気の光子の公転軌道エネルギーの0.483倍です。
5. ビッグバンの以前、電子のラブが1秒間に作った磁気の光子と電気の光子の公転軌道エネルギーは、背景放射の公転軌道エネルギーである。
6. 光子の軌道エネルギーは普遍です。ビッグバンの以前にできた、電気の光子の公転軌道エネルギーが136億年走り続けた今でも同じ軌道エネルギーです。この事は、光子の軌道エネルギーは普遍である証拠です。
7．よって、電気の光子1個の公転軌道エネルギーは、どのような高エネルギーの場においても、低エネルギーの場においても、1.233×10−41Jmである。
２．  ビッグバンの以前、背景放射は電子のラブではなかった。ビッグバンの以前、背景放射は陽子のラブではなかった。
宇宙背景放射は、1.594×1024倍に拡大したのに対し、陽子のラブの自転軌道と、電子のラブの自転軌道は、ビッグバンの以前の自転軌道の6.664×109倍に拡大した理由は、その中に、陽子のラブと電子のラブが存在するからです。この理解から、背景放射の中には、電子のラブは存在しない。背景放射の中には、陽子のラブは存在しない事が判明した。
背景放射は、ビッグバンの以前、電子のラブの光子（電子のラブの粒子）ではない。
背景放射は、ビッグバンの以前、陽子のラブの光子（電子のラブの粒子）ではない。
３．  背景放射が示す事は何か。ビッグバンの以前、球体になっていた事は何を示すか。
背景放射のエネルギーは、2.73Kです。背景放射は熱であるから、電気の光子のエネルギーです。この事から理解できる事は、ビッグバンの以前、電子のラブは公転し、電気の光子を作っていた。ということです。
背景放射は、電子のラブが公転し作った電気の光子です。
背景放射は、ビッグバンの以前、電子のラブは公転していた事の証拠です。
ビッグバンの以前、電子のラブと陽子のラブは、球体になっていたことは、引力があったことです。引力は、磁気の光子が作ります。磁気の光子は、電子のラブと陽子のラブが自転し、作りました。それで、ビッグバンの以前、電子のラブと陽子のラブは自転していた。
ビッグバンの以前、電子のラブが球体の外側に存在し、陽子のラブは球体の内側にまとまって存在できた事は、磁気の光子が引力になっていた。電子のラブと陽子のラブは自転し、磁気の光子を作っていた事をしめす。
ビッグバンの以前、電子のラブと陽子のラブは、球体になっていたことは、電子のラブと陽子のラブは自転し、磁気の光子を作っていた証拠です。
４．  ビッグバンの以前、電子のラブが1秒間に作った磁気の光子と電気の光子の公転軌道エネルギーは、背景放射の公転軌道エネルギーである。
ビッグバンの以前、電子のラブが1秒間に作った磁気の光子と電気の光子の公転軌道エネルギーは、背景放射の公転軌道エネルギーであると考えられる理由。
背景放射の公転軌道エネルギーは、地上の電子のラブが作る1秒間に作る磁気の光子と電気の光子の公転軌道エネルギーの約0.5倍であり、ほぼ等しい。
それで、ビッグバンの以前、電子のラブが1秒間に作った磁気の光子と電気の光子の公転軌道エネルギーは、背景放射の公転軌道エネルギーであった。
ビッグバンの以前に、1秒間にできた電気の光子の公転軌道エネルギーは、そのまま背景放射になっている。
この事によって理解できること。
1. 光子の軌道エネルギーは変わらない。
５．  ビッグバンの以前の状態はどのようであったか。
ビッグバンの以前、電子のラブと陽子のラブは存在していた。
初め、電子のラブと陽子のラブは自転だけしていた。
その後、電子のラブと陽子のラブは自転し、公転し、磁気の光子と電気の光子を作っていた。電子のラブと陽子のラブの公転軌道エネルギーは、8.665×10−24Jmです。この軌道エネルギーによってできる電気の光子の公転軌道エネルギーは、現在、地上の電子のラブと陽子のラブが作る電気の光子の公転軌道エネルギーと同じです。
現在、地上の電子のラブが1秒間に作る磁気の光子と電気の光子の公転軌道エネルギーは、7.382×10−16J×1.058×10−10ｍ＝7.810×10−26Jm、です。現在、地上で、陽子のラブが1秒間に作る磁気の光子と電気の光子の公転軌道エネルギーは、4.02×10−19J×5.777×10−14ｍ＝2.322×10−32Jm、です。
それで、ビッグバンの以前、電子のラブが1秒間に作った磁気の光子と電気の光子の公転軌道エネルギーは7.810×10−26Jmです。陽子のラブが1秒間に作った磁気の光子と電気の光子の公転軌道エネルギーは、2.322×10−32Jmです。
ビッグバンの以前、存在したのは、電子のラブと陽子のラブでした。電子のラブは自転しながら公転し、1秒間に、7.810×10−26Jmの公転軌道エネルギーの磁気の光子と電気の光子を作っていました。その公転軌道エネルギーが、現在、地上で3.769×10−26Jmの背景放射になっています。
６．  ビッグバンの以前の球体には、現在宇宙に存在する全ての電子のラブと陽子のラブが集まっていた。この事は何を意味するか。
ビッグバンの以前の球体には、現在宇宙に存在する全ての電子のラブと陽子のラブが集まっていた。この事は、ビッグバンの以前の球体には、現在宇宙に存在する全ての電子のラブと陽子のラブが集まるだけの引力があった事を意味する。引力は磁気の光子が作る。磁気の光子は電子のラブと陽子のラブの自転によりできる。この事は、ビッグバンの以前、電子のラブと陽子のラブは自転し、引力となる磁気の光子を作っていた事を示す。
７．  ビッグバンの以前、引力はいくらであったか。ビッグバンの以前の引力は、現在の地表の引力の何倍か。
○ビッグバンの以前、電子のラブのエネルギーを１Jとする場合。
電子のラブの公転軌道は、8.665×10−24Jm÷１J=8.665×10−24ｍ、です。
1公転でできる電気の光子と磁気の光子のエネルギーは、1.233×10−41Jm÷(8.665×10−24ｍ)＝1.423×10−18J、です。
1秒間に、(7.96×107)2回公転しますから、1秒間にできる電気の光子と磁気の光子のエネルギーは、1.423×10−18J×(7.96×107)2回＝9.016×10−3J、です。
陽子のラブのエネルギーは、電子のラブのエネルギーの質量倍ですから、
陽子のラブの質量÷電子のラブの質量＝1.67265×10−27ｇ÷(9.1095×10−31ｇ)＝1836(倍)、ですから、1836Jです。
陽子のラブの公転軌道は、8.665×10−24Jm÷1836J=4.719×10−27ｍ、です。
1公転でできる電気の光子と磁気の光子のエネルギーは、1.233×10−41Jm÷(4.719×10−27ｍ)＝2.613×10−15J、です。
1秒間に、4.34×104×7.96×107回公転しますから、1秒間にできる電気の光子と磁気の光子のエネルギーは、2.613×10−15J×4.34×104×7.96×107回＝9.027×10−3J、です。
・ビッグバンの以前のAはいくらか。
ビッグバンの以前のA=地表の電子のラブの公転軌道÷ビッグバンの以前の電子のラブの公転軌道＝1.058×10−10ｍ÷(8.665×10−24ｍ)＝1.221×1013
ビッグバンの以前のAは1.221×1013です。
・ビッグバンの以前の温度はいくらか。
温度＝A2＝(1.221×1013)2＝1.491×1026℃
ビッグバンの以前の温度は、1.491×1026℃です。
・ビッグバンの以前、電子のラブが1秒間に作る引力はいくらか。陽子のラブが1秒間に作る引力はいくらか。
引力は、磁気の光子のエネルギーですから、ビッグバンの以前、電子のラブが1秒間に作る引力は、9.016×10−3Jです。陽子のラブが1秒間に作る引力は9.027×10−3Jです。
・ビッグバンの以前、電子のラブと電子のラブとの間の引力はいくらか。
物と物との間の引力はA4ですから、A4＝(1.221×1013)4＝2.223×1052(倍)
ビッグバンの以前の物と物との間の引力は、地表の引力の2.223×1052倍です。
これを、電子のラブによって確認する。
ビッグバンの以前の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(9.027×10−3J)×(9.016×10−3J)÷(8.665×10−24ｍ)2＝1.084×1042J/m、です。
現在、地表の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(7.374×10−16)×(7.384×10−16J)÷(1.058×10−10ｍ)2＝4.864×10−11J/m、です。
・ビッグバンの以前の引力は地表の引力の何倍か。
ビッグバンの以前の引力÷地表の引力＝1.084×1042J/m÷(4.864×10−11J/m)＝2.229×1052倍です。
ビッグバンの以前の引力は、現在の地表の引力の2.229×1052倍です。
○ビッグバンの以前、電子のラブのエネルギーを8.665Jとする場合。
電子のラブの公転軌道は、8.665×10−24Jm÷8.665J=10−24ｍ、です。
1公転でできる電気の光子と磁気の光子のエネルギーは、1.233×10−41Jm÷10−24ｍ＝1.233×10−17J、です。
1秒間に、(7.96×107)2回公転しますから、1秒間にできる電気の光子と磁気の光子のエネルギーは、1.233×10−17J×(7.96×107)2回＝7.812×10−2Jです。
陽子のラブのエネルギーは、電子のラブのエネルギーの質量倍ですから、
陽子のラブの質量÷電子のラブの質量＝1.67265×10−27ｇ÷(9.1095×10−31ｇ)＝1836(倍)、ですから、8.665J×1836＝1.591×104Jです。
陽子のラブの公転軌道は、8.665×10−24Jm÷(1.591×104J)=5.446×10−28ｍ、です。
1公転でできる電気の光子と磁気の光子のエネルギーは、1.233×10−41Jm÷(5.446×10−28ｍ)＝2.264×10−14J、です。
1秒間に、4.34×104×7.96×107回公転しますから、1秒間にできる電気の光子と磁気の光子のエネルギーは、2.264×10−14J×4.34×104×7.96×107回＝7.821×10−2J、です。
・ビッグバンの以前のAはいくらか。
ビッグバンの以前のA=地表の電子のラブの公転軌道÷ビッグバンの以前の電子のラブの公転軌道＝1.058×10−10ｍ÷10−24ｍ＝1.058×1014
ビッグバンの以前のAは1.058×1014です。
・ビッグバンの以前の温度はいくらか。
温度＝A2＝(1.058×1014)2＝1.119×1028℃
ビッグバンの以前の温度は、1.119×1028℃です。
・ビッグバンの以前、電子のラブが1秒間に作る引力はいくらか。陽子のラブが1秒間に作る引力はいくらか。
引力は、磁気の光子のエネルギーですから、ビッグバンの以前、電子のラブが1秒間に作る引力は、7.812×10−2Jです。陽子のラブが1秒間に作る引力は7.821×10−2Jです。
・ビッグバンの以前、電子のラブと電子のラブとの間の引力はいくらか。
物と物との間の引力はA4ですから、A4＝(1.058×1014)4＝1.253×1056(倍)
ビッグバンの以前の物と物との間の引力は、地表の引力の1.253×1056倍です。
これを、電子のラブによって確認する。
ビッグバンの以前の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(7.821×10−2J)×(7.812×10−2J)÷10−24ｍ2＝6.110×1045J/m、です。
現在、地表の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(7.374×10−16J)×(7.384×10−16J)÷(1.058×10−10ｍ)2＝4.864×10−11J/m、です。
ビッグバンの以前の引力は地表の引力の何倍か。
ビッグバンの以前の引力÷地表の引力＝6.110×1045J/m÷(4.864×10−11J/m)＝1.256×105６倍です。
ビッグバンの以前の引力は、現在の地表の引力の1.256×1056倍です。
これを一般式にて表す。
○ビッグバンの以前、電子のラブのエネルギーをaJとする場合。
電子のラブの公転軌道は、8.665×10−24Jm÷aJ=8.665×10−24÷aｍ、です。
1公転でできる電気の光子と磁気の光子のエネルギーは、1.233×10−41Jm÷(8.665×10−24÷aｍ)＝1.423×10−18×aJ、です。
1秒間に、(7.96×107)2回公転しますから、1秒間にできる電気の光子と磁気の光子のエネルギーは、1.423×10−18×aJ×(7.96×107)2回＝9.016×10−3×aJ、です。
陽子のラブのエネルギーは、1836aJです。
陽子のラブの公転軌道は、8.665×10−24Jm÷(1836aJ)=4.719×10−27÷aｍ、です。
1公転でできる電気の光子と磁気の光子のエネルギーは、1.233×10−41Jm÷(4.719×10−27÷aｍ)＝2.613 ×10−15×aJ、です。
1秒間に、4.34×104×7.96×107回公転しますから、1秒間にできる電気の光子と磁気の光子のエネルギーは、2.613 ×10−15×aJ×4.34×104×7.96×107回＝9.027×10−3×aJ 、です。
・ビッグバンの以前のAはいくらか。
ビッグバンの以前のA=地表の電子のラブの公転軌道÷ビッグバンの以前の電子のラブの公転軌道＝1.058×10−10ｍ÷(8.665×10−24÷aｍ)＝1.221×1013×a
ビッグバンの以前のAは1.221×1013×aです。
・ビッグバンの以前の温度はいくらか。
温度＝A2＝(1.221×1013×a)2＝1.491×1026×a2℃
ビッグバンの以前の温度は、1.491×1026×a2℃℃です。
・ビッグバンの以前、電子のラブが1秒間に作る引力はいくらか。陽子のラブが1秒間に作る引力はいくらか。
引力は、磁気の光子のエネルギーですから、ビッグバンの以前、電子のラブが1秒間に作る引力は、9.016×10−3J×aJです。陽子のラブが1秒間に作る引力は9.027×10−3 ÷aJ です。
・ビッグバンの以前、電子のラブと電子のラブとの間の引力はいくらか。
物と物との間の引力はA4ですから、A4＝(1.221×1015×a)4＝2.223×1045×a4(倍)
ビッグバンの以前の物と物との間の引力は、地表の引力の2.223×1045×a4倍です。
これを、電子のラブによって確認する。
ビッグバンの以前の、陽子のラブと電子のラブの間の引力＝陽子のラブが1秒間に作る磁気の光子のエネルギー×電子のラブが1秒間に作る磁気の光子のエネルギー÷電子のラブの公転軌道2＝(9.027×10−3×aJ)×(9.016×10−3×aJ)÷(8.665×10−24÷aｍ)2＝1.084×1042×a4J/m、です。
ビッグバンの以前の引力は地表の引力の何倍か。
ビッグバンの以前の引力÷地表の引力＝1.084×1042×a4J/m÷(4.864×10−11J/m)＝2.229×1053×a4倍です。
ビッグバンの以前の引力は、現在の地表の引力の2.229×1053×a4倍です。
これを表に示す。
ビッグバンの以前の様子。
表1
2009296884.tif 000003
８．  ビッグバンの以前の球体の状態を２つに分類する。
ビッグバンの以前の球体の状態を２つに分類する。
1つは、ビッグバンの以前の前期で、球体で、陽子のラブと電子のラブは自転だけしていた時。
２つは、ビッグバンの以前の後期で、球体で、陽子のラブと電子のラブは自転と公転をしていた時。
９．  ビッグバンの以前の前期で、球体で、陽子のラブと電子のラブは自転だけしていた時、球体の大きさはいくらか。全ての磁気の光子のエネルギーはいくらか。引力はいくらか。
宇宙全体の電子のラブの数と陽子のラブの数をｃとします。半径にｄ個の電子のラブが存在するとします。電子のラブのエネルギーをaJとします。
・球体の大きさはいくらか。
4π/3×ｄ3＝2ｃ
ｄ3＝2ｃ÷4π/3＝2ｃ÷4.187
ｄ＝(2ｃ÷4.187)1/3
半径＝ｄ×自転軌道
電子のラブの自転軌道は、公転軌道×3.14÷1公転の自転回数＝公転軌道×3.14÷(7.96×107回)＝8.665×10−24Jm÷電子のラブのエネルギー×3.14÷(7.96×107回)＝3.418×10−31 Jm÷電子のラブのエネルギー＝3.418×10−31ｍ÷a
陽子のラブの自転軌道＝公転軌道×3.14÷1公転の自転回数＝公転軌道×3.14÷(4.34×104回)＝8.665×10−24Jm÷(電子のラブのエネルギー×1836)×3.14÷(4.34×104回)＝3.414×10−31 Jm÷電子のラブのエネルギー＝3.414×10−31ｍ÷a
よって、
半径＝ｄ×自転軌道＝(2ｃ÷4.187)1/3×自転軌道＝(2ｃ÷4.187)1/3×3.418×10−31ｍ÷a
半径は、(2ｃ÷4.187)1/3×3.418×10−31ｍ÷a＝ｃ1/3÷0.47771/3×3.418×10−31ｍ÷a＝ｃ1/3÷0.781×3.418×10−31ｍ÷a＝ｃ1/3×4.376×10−31ｍ÷a
球体の半径は、ｃ1/3×4.376×10−31ｍ÷a、です。
球体の大きさは、2×ｃ1/3×4.376×10−31ｍ÷a、です。
・1秒間にできる磁気の光子のエネルギーはいくらか。
1秒間にできる磁気の光子のエネルギー＝1公転でできる磁気の光子のエネルギー×1秒間の公転数＝1.233×10−41Jm÷公転軌道×1秒間の公転数＝1.233×10−41Jm÷(8.665×10−24Jm÷電子のラブのエネルギー)(7.96×107)2＝9.016×10−3×電子のラブのエネルギー＝9.016×10−3×aJ
1秒間にできる磁気の光子のエネルギーは、9.016×10−3×aJ、です。
・全ての電子のラブが1秒間に作る磁気の光子のエネルギーはいくらか。全ての陽子のラブが作る磁気の光子のエネルギーはいくらか。
全ての電子のラブが1秒間に作る磁気の光子のエネルギー＝1秒間にできる磁気の光子のエネルギー×電子のラブの数＝9.016×10−3×aJ×ｃ＝全ての陽子のラブが作る磁気の光子のエネルギー
全ての電子のラブが1秒間に作る磁気の光子のエネルギーは、9.016×10−3×aJ×ｃ、です。
全ての陽子のラブが1秒間に作る磁気の光子のエネルギーは、9.016×10−3×aJ×ｃ、です。
・引力はいくらか。
この場合、中央の陽子のラブのコーナーと外側の電子のラブのコーナーはくっついているので、距離は問題にしなくても良い。
引力＝全ての電子のラブが1秒間に作る磁気の光子のエネルギー×全ての陽子のラブが1秒間に作る磁気の光子のエネルギー＝(9.016×10−3×aJ×ｃ)2
引力は、(9.016×10−3×aJ×ｃ)2、です。
これを表に示す。
ビッグバンの以前の前期で、球体で、陽子のラブと電子のラブは自転だけしていた時の様子。但し、宇宙の原子の数は「請求項14」で求めた。
表2
2009296884.tif 000004
１０．  現在地表において、原子の中で、陽子のラブと電子のラブの間の引力はいくらか。
現在地表において、原子の中で、陽子のラブが1秒間に作る磁気の光子のエネルギーは、
1公転でできる磁気の光子のエネルギー×1秒間の公転数＝1.233×10−41Jm÷公転軌道×4.34×104×7.96×107回＝1.233×10−41Jm÷｛8.665×10−24Jm÷(1.5×10−10J)｝×4.34×104×7.96×107回＝1.233×10−41Jm÷(5.777×10−14ｍ)×3.455×1012回＝1.233×10−41Jm×3.455×1012回÷(5.777×10−14ｍ)＝4.260×10−29Jm÷(5.777×10−14ｍ)＝7.374×10−16J、です。
原子の中で、電子のラブが1秒間に作る磁気の光子のエネルギーは、
7.812×10−26Jm÷公転軌道＝7.812×10−26Jm÷(1.058×10−10ｍ)＝7.384×10−16J、です。
これを表に示す。
現在地表の原子の中の様子。
表3
2009296884.tif 000005
・原子の中の陽子のラブと電子のラブの間の引力はいくらか。
原子の中の引力＝陽子のラブが1秒間に作る磁気の光子のエネルギー×電子のラブが1秒間に作る磁気の光子のエネルギー÷陽子のラブと電子のラブとの距離2＝7.374×10−16J×7.384×10−16J÷(1.058×10−10ｍ)2＝5.445×10−31J÷(1.119×10−20ｍ)＝4.866×10−11J/m
原子の中の陽子のラブと電子のラブの間の引力は4.866×10−11J/mです。
１１．  ビッグバンの以前の後期、陽子のラブの集団と電子のラブの集団との距離はいくらか。ビッグバンの以前の後期、球体の大きさはいくらか。
・現在地表において、原子の中で、陽子のラブが1秒間に作る磁気の光子のエネルギーは電子の軌道までの電子のラブを引っ張っている。ビッグバンの以前の後期、陽子のラブの集団が1秒間に作る磁気の光子のエネルギーでどれくらいの軌道までの電子のラブの集団を引っ張ることができるか。
原子の中で、陽子のラブが1秒間に作る磁気の光子のエネルギーは電子の軌道までの電子のラブを引っ張っている。その引力と、ビッグバンの以前の後期、陽子のラブが1秒間に作る磁気の光子のエネルギーで、電子のラブを引っ張る引力は同じであると考える。
ビッグバンの以前の後期、陽子のラブと電子のラブの間の引力＝原子の中の、陽子のラブと電子のラブの間の引力＝4.866×10−11J/m
この理由は、球体の中央部の外側に並ぶ陽子のラブが作る磁気の光子のエネルギーと、球体の周囲の内側に並ぶ電子のラブが作る磁気の光子のエネルギーは同じであり、同じ磁気の光子のエネルギーで引き合っているからです。
ビッグバンの以前の後期の引力＝陽子のラブが1秒間に作る磁気の光子のエネルギー×電子のラブが1秒間に作る磁気の光子のエネルギー÷陽子のラブの集団と電子のラブの集団の間の距離2＝(9.016×10−3×aJ)2÷陽子のラブの集団と電子のラブの集団の間の距離2＝4.866×10−11J/m
陽子のラブの集団と電子のラブの集団の間の距離2＝(9.016×10−3×aJ)2÷(4.866×10−11J/m)＝81.288×10−6×a2J÷(4.866×10−11J/m)=1.671×106ｍ×a2
陽子のラブの集団と電子のラブの集団の間の距離＝(1.671×106ｍ×a2)1/2=1.293×103ｍ×a
よって、陽子のラブの集団と電子のラブの集団の間の距離は1.293×103×aｍです。
ビッグバンの以前の後期、球体の半径＝1.293×103×aｍです。
ビッグバンの以前の後期、球体の大きさは、2×1.293×103×aｍ＝2.586×103×aｍ、です。
１２．  ビッグバンの以前の後期、球体の中央部の集団の半径はいくらか。
現在、宇宙に存在する陽子のラブと電子のラブの数をC個とする。
球体の中央部の半径に存在する陽子のラブの数をD個とする。
中央部の体積には、宇宙に存在する全ての陽子のラブが存在していたので、
4/3×πD3個＝C個
D3個＝C個÷(4/3×π)
D=(C÷4π×3)1/3=(C÷4.187)1/3=C1/3÷1.612
中央部の半径は、
中央部の半径＝半径に存在する陽子のラブの数×陽子のラブの公転軌道＝C1/3÷1.612×8.665×10−24Jm÷1836aJ=C1/3×2.928×10−27÷a m、です。
ビッグバンの以前の後期、中央部の半径は、C1/3×2.928×10−27÷a mです。
１３．  ビッグバンの以前の後期、球体の周囲の電子のラブの集団の半径はいくらか。
球体の周囲の電子のラブの集団の半径は、中央部の半径の約2000倍ですから、
球体の周囲の電子のラブの集団の半径＝中央部の半径×2000＝C1/3×2.928×10−27÷a m×2000＝C1/3×5.856×10−24÷a m、です。
ビッグバンの以前の後期、球体の周囲の電子のラブの集団の半径は、C1/3×5.856×10−24÷a mです。
１４．  ビッグバンの以前の原子の数はいくらだったか。
「請求項11」から、ビッグバンの以前の後期、陽子のラブの集団と電子のラブの集団の間の距離は1.293×103×aｍです。
「請求項13」から、ビッグバンの以前の後期、球体の周囲の電子のラブの集団の半径は、C1/3×5.856×10−24÷a mです。
ビッグバンの以前の後期、球体の大きさ＝陽子のラブの集団と電子のラブの集団の間の距離＝球体の周囲の電子のラブの集団の半径、であるから、
1.293×103×aｍ＝C1/3×5.856×10−24÷a m
C1/3＝1.293×103×aｍ÷(5.856×10−24÷a
m)＝2.208×1026×a2 
C=(2.208×1026×a2)3＝10.765×1078×a6＝1.0765×1079×a6
ビッグバンの以前の原子の数は、1.0765×1079×a6個です。
例えば、ビッグバンの以前の電子のラブのエネルギーを１J とすると、ビッグバンの以前の原子の数は、1.077×1079個です。
例えば、ビッグバンの以前の電子のラブのエネルギーを8.665J とすると、ビッグバンの以前の原子の数は、
1.076×1079×8.6656個＝1.076×1079×650.5872個＝1.076×1079×423264＝4.554×1084個、です。
例えば、ビッグバンの以前の原子の数を10100個とすると、ビッグバンの以前の電子のラブのエネルギーは、
1.076×1079×a6個＝10100個
a6＝10100÷(1.076×1079)≒10100−79＝1021
a＝1021÷6＝103.5＝103×100.5＝103×3.162＝3162(J)、です。
表に示す。
ビッグバンの以前の原子の数。
表4
2009296884.tif 000006
１５．  ビッグバンの以前の後期、球体の引力はいくらであったか。
ビッグッバンの以前の後期、球体の中央部には陽子のラブが集まっていた。この陽子のラブの数をC個であるとする。電子のラブのエネルギーをaJとする。
球体の中央部の引力は、
球体の中央部の引力＝陽子のラブが1秒間に作る磁気の光子のエネルギー×陽子のラブの数＝9.016×10−3 ×aJ×C、です。
ビッグッバンの以前の後期、球体の周囲には電子のラブが集まっていた。この電子のラブの数をC個であるとすると、球体の周囲の引力は、
球体の周囲の引力＝電子のラブが1秒間に作る磁気の光子のエネルギー×電子のラブの数＝9.027×10−3 ×aJ×C、です。
この事によって理解できること。
1. ビッグバンの以前の後期、球体の中央部の陽子のラブ集団の引力と、周囲の電子のラブ集団の引力は同じである。それで、同じ引力で引き合っている。
１６．  ビッグバンの以前の後期、球体の中央部の陽子のラブ集団と、周囲の電子のラブ集団の間の引力はいくらか。
ビッグバンの以前の後期、球体の中央部の陽子のラブ集団と、周囲の電子のラブ集団の間の引力=
全ての陽子のラブが1秒間に作る磁気の光子のエネルギー×全ての電子のラブが1秒間に作る磁気の光子のエネルギー÷中央部の陽子のラブの半径と周囲の電子のラブ集団の半径の間の距離2＝(9.027×10−3 ×aJ×C)×(9.016×10−3×aJ×C)÷(C1/3×5.856×10−24÷a m)2＝81.387×10−6×a2×C2 J÷(C2/3×34.293×10−48÷a2 m)=2.373×1042×a4×C2÷C2/3 J/m=2.373×1042×a4×C6/3ー2/3 J/m =2.373×1042×a4×C4/3 J/m=2.373×1042×a4×C×C1/3
J/m
ビッグバンの以前の後期、球体の中央部の陽子のラブ集団と、周囲の電子のラブ集団の間の引力は、2.373×1042×a4×C×C1/3
J/mです。
○例えば、ビッグバンの以前の電子のラブのエネルギーが１Jであるとすると、原子の数は、1.077×1079個です。
全ての陽子のラブが1秒間に作る磁気の光子のエネルギー＝9.027×10−3 ×aJ×C＝全ての電子のラブが1秒間に作る磁気の光子のエネルギー＝9.016×10−3×aJ×C＝9.02×10−3×aJ×C＝9.02×10−3×１J×1.077×1079個＝9.715×1076J
中央部の陽子のラブの半径と周囲の電子のラブ集団の半径の間の距離＝球体の半径＝C1/3×5.856×10−24÷a m＝(1.077×1079個)1/3×5.856×10−24÷1  m≒1079/3×5.856×10−24m
=1026.333×5.856×10−24m=102×2.153×5.856＝1.261×103ｍ
ビッグバンの以前の後期、球体の中央部の陽子のラブ集団と、周囲の電子のラブ集団の間の引力=2.373×1042×a4×C×C1/3 J/m＝2.373×1042×14×1.077×1079個×(1.077×1079個)1/3J/m=2.556×10121×(1.077×1079個)1/3J/ｍ≒2.556×10121×1079/3 J/ｍ＝2.556×10121×1026.333 J/ｍ＝2.556×10121×1026×2.152 J/ｍ＝5.501×10147
J/ｍ
○例えば、ビッグバンの以前の電子のラブのエネルギーが8.556Jであるとすると、原子の数は、4.554×1084個です。
全ての陽子のラブが1秒間に作る磁気の光子のエネルギー＝9.027×10−3 ×aJ×C＝全ての電子のラブが1秒間に作る磁気の光子のエネルギー＝9.016×10−3×aJ×C＝9.02×10−3×aJ×C＝9.02×10−3×8.665J×4.554×1084個＝3.559×1083J
中央部の陽子のラブの半径と周囲の電子のラブ集団の半径の間の距離＝球体の半径＝C1/3×5.856×10−24÷a  m＝(4.554×1084個)1/3×5.856×10−24÷8.665
m=4.5541/3×1028×5.856×10−24÷8.665 m＝1.658×1028×5.856×10−24÷8.665m＝1.121×104ｍ
ビッグバンの以前の後期、球体の中央部の陽子のラブ集団と、周囲の電子のラブ集団の間の引力=2.373×1042×a4×C×C1/3 J/m＝2.373×1042×8.6654×4.554×1084個×(4.554×1084個)1/3 J/m =2.373×1042×5.637×103×4.554×1084個×1.658×1028 J/m＝10159 J/m
○例えば、ビッグバンの以前の電子のラブのエネルギーが3162Jであるとすると、原子の数は、10100個です。
全ての陽子のラブが1秒間に作る磁気の光子のエネルギー＝9.027×10−3 ×aJ×C＝全ての電子のラブが1秒間に作る磁気の光子のエネルギー＝9.016×10−3×aJ×C＝9.02×10−3×3162J×10100個＝2.852×10101J
中央部の陽子のラブの半径と周囲の電子のラブ集団の半径の間の距離＝球体の半径＝C1/3×5.856×10−24÷a  m＝10100/3×5.856×10−24÷3162  m=1033×2.153×5.856×10−24÷3162  m=3.987×106ｍ
ビッグバンの以前の後期、球体の中央部の陽子のラブ集団と、周囲の電子のラブ集団の間の引力=2.373×1042×a4×C×C1/3 J/m＝2.373×1042×31624×10100×10100/3 J/m =2.373×1042×100×1012×10100×1033×2.153 J/m＝5.109×10189J/m
これを表に示す。
ビッグバンの以前の後期で、球体で、陽子のラブと電子のラブは自転し、公転していた時の様子。
表5
2009296884.tif 000007
１７．  ビッグバンの以前、前期の球体と後期の球体の比較。
ビッグバンの以前、前期の球体と後期の球体の比較。
表6
2009296884.tif 000008
・後期の球体の半径は前期の球体の半径の何倍か。
後期の球体の半径÷前期の球体の半径＝C1/3×5.856×10−24÷a  m÷(ｃ1/3×4.376×10−31ｍ÷a)＝1.338×107(倍)
後期の球体の半径は前期の球体の半径の1.338×107倍です。
・前期の全ての陽子のラブと電子のラブが1秒間に作る磁気の光子のエネルギーは、後期の全ての陽子のラブと電子のラブが1秒間に作る磁気の光子のエネルギーの何倍か。
前期の全ての陽子のラブと電子のラブが1秒間に作る磁気の光子のエネルギー÷後期の全ての陽子のラブと電子のラブが1秒間に作る磁気の光子のエネルギー＝9.016×10−3×aJ×ｃ÷(9.02×10−3×aJ×C)＝1
前期の全ての陽子のラブと電子のラブが1秒間に作る磁気の光子のエネルギーは、後期の全ての陽子のラブと電子のラブが1秒間に作る磁気の光子のエネルギーと同じです。
・前期の引力は後期の引力の何倍か。
前期の引力÷後期の引力＝(9.016×10−3×aJ×ｃ)2
J/m÷(2.373×1042×a4×C×C1/3
J/m)＝81.288×10−6×a2J×ｃ2÷(2.373×1042×a4×C×C1/3)＝34.255×10−48÷a2×C6/3−4/3=
3.4255×10−47÷a2×C2/3
前期の引力は後期の引力の3.4255×10−47÷a2×C2/3倍です。
例えば、a=1Jの場合。
3.4255×10−47÷a2×C2/3倍＝3.4255×10−47÷1×(1.077×1079個)2/3倍≒3.4255×10−47×1079×2÷3倍＝3.4255×10−47×1052.666倍＝3.4255×10−47＋52×100.667倍=3.4255×105×4.641＝1.590×106倍
9.428×10153J/m÷(5.501×10147 J/ｍ)＝1.714×106(倍)
例えば、a=8.665Jの場合。
3.4255×10−47÷a2×C2/3倍＝3.4255×10−47÷8.6652×(4.554×1084個)2/3倍＝3.4255×10−47÷75.082×20.7391/3×1056倍＝3.4255×10−47÷75.082×2.747×1056倍＝1.253×108倍
1.266×10167J/m÷(10159 J/m)＝1.266×108(倍)
例えば、aJ=3162Jの場合。
3.4255×10−47÷a2×C2/3倍＝3.4255×10−47÷31622×(10100個) 2/3倍＝3.4255×10−47÷107×1066.666倍＝3.4255×10−47÷107＋66×4.641倍＝1.590×1027倍
8.127×10209
J/m÷(5.109×10189J/m)＝1.591×1020(倍)
この事によって理解できたこと。
1. 後期の球体の半径は前期の球体の半径の1.338×107倍です。
2. 前期の全ての陽子のラブと電子のラブが1秒間に作る磁気の光子のエネルギーは、後期の全ての陽子のラブと電子のラブが1秒間に作る磁気の光子のエネルギーと同じです。
3. 前期の引力は後期の引力の3.4255×10−47÷a2×C2/3倍です。ビッグバンの以前の電子のラブのエネルギーの2乗に反比例し、存在する原子数の2/3乗に比例する倍数になる。
１８．  ビッグバンの以前の後期、電子のラブが作った磁気の光子と電気の光子はどのようであったか。ビッグバンの以前の後期、陽子のラブが作った磁気の光子と電気の光子はどのようであったか。ビッグバンの以前の後期、電子のラブが作った磁気の光子と電気の光子の束はどのようであったか。ビッグバンの以前の後期、陽子のラブが作った磁気の光子と電気の光子の束はどのようであったか。
(１)ビッグバンの以前の後期、電子のラブが作るの光子の束について。
例えば、ビッグバンの以前の後期、電子のラブのエネルギーが１Jであったとする。
電子のラブの公転軌道は、8.665×10−24ｍです。
1個の電気の光子の軌道は、8.665×10−24ｍです。
1個の磁気の光子の軌道は、8.665×10−24ｍ×3.14÷(7.96×107)＝3.418×10−31ｍ、です。
1個の電気の光子のエネルギーは、1.423×10−18Jです。
1個の磁気の光子のエネルギーは、1.423×10−18J÷(7.96×107)＝1.788×10−26Jです。
1秒間の公転数は、(7.96×107)2回＝6.336×1015回です。
1秒間の自転数は、(7.96×107)3回＝5.044×1023回です。
1秒間に作る電気の光子と磁気の光子のエネルギーは、9.016×10−3Jです。
この1秒間に作る電気の光子と磁気の光子が1束になっている。
8.665×10−24ｍの輪に(7.96×107)2個の電気の光子が公転している。電気の光子1個のエネルギーは1.423×10−18Jです。
8.665×10−24ｍの輪に(7.96×107)3個の磁気の光子が回転している。磁気の光子の回転軌道は3.418×10−31ｍで、エネルギーは1.788×10−26Jです。
1束の光子の軌道エネルギーは、公転軌道×1秒間の電気の光子のエネルギー＝8.665×10−24ｍ×9.016×10−3J＝7.812×10−26Jmです。
(２) ビッグバンの以前の後期、陽子のラブが作るの光子の束について。
例えば、ビッグバンの以前の後期、電子のラブのエネルギーが１Jであると、陽子のラブのエネルギーは、1836Jです。
陽子のラブの公転軌道は、4.719×10−27ｍです。
1個の電気の光子の軌道は、4.719×10−27ｍです。
1個の磁気の光子の軌道は、4.719×10−27ｍ×3.14÷(4.34×104)＝3.414×10−31ｍ、です。
1個の電気の光子のエネルギーは、2.613×10−15J です。
1個の磁気の光子のエネルギーは、2.613×10−15J÷(4.34×104)＝6.021×10−20Jです。
1秒間の公転数は、4.34×104×7.96×107回＝3.455×1012回です。
1秒間の自転数は、(4.34×104)2×7.96×107回＝1.499×1017回です。
1秒間に作る電気の光子と磁気の光子のエネルギーは、9.027×10−3Jです。
この1秒間に作る電気の光子と磁気の光子が1束になっている。
4.719×10−27ｍの輪に4.34×104×7.96×107個の電気の光子が公転している。電気の光子1個のエネルギーは2.613×10−15Jです。
4.719×10−27ｍの輪に(4.34×104)2×7.96×107個の磁気の光子が回転している。磁気の光子の回転軌道は3.414×10−31ｍで、エネルギーは6.021×10−20Jです。
1束の光子の軌道エネルギーは、公転軌道×1秒間の電気の光子のエネルギー＝4.719×10−27ｍ×9.027×10−3J＝4.260×10−29Jmです。
これを表に示す。
ビッグバンの以前の後期、電子のラブが作るの光子の束と陽子のラブが作る光子の束。
表7
2009296884.tif 000009
・陽子のラブが作った電気の光子1個のエネルギーは、電子のラブが作った電気の光子1個のエネルギーの何倍か。
陽子のラブが作った電気の光子1個のエネルギー÷電子のラブが作った電気の光子1個のエネルギー＝2.613×10−15J÷(1.423×10−18J)＝1836(倍)
陽子のラブが作った電気の光子1個のエネルギーは、電子のラブが作った電気の光子1個のエネルギーの1836倍です。
・電子のラブが1秒間に作った電気の光子の数は、陽子のラブが1秒間に作った電気の光子の数の何倍か。
電子のラブが1秒間に作った電気の光子の数÷陽子のラブが1秒間に作った電気の光子の数＝6.336×1015個÷(3.455×1012個)＝1834(倍)
電子のラブが1秒間に作った電気の光子の数は、陽子のラブが1秒間に作った電気の光子の数の1834倍です。
・陽子のラブが作った磁気の光子1個のエネルギーは、電子のラブが作った磁気の光子1個のエネルギーの何倍か。
陽子のラブが作った磁気の光子1個のエネルギー÷電子のラブが作った磁気の光子1個のエネルギー＝6.021×10−20J÷(1.788×10−26J)＝3.367×106＝(1835)2(倍)
陽子のラブが作った磁気の光子1個のエネルギーは、電子のラブが作った磁気の光子1個のエネルギーの3.367×106倍であり、これはエネルギーの差の２乗倍です。
・電子のラブが1秒間に作った磁気の光子の数は、陽子のラブが1秒間に作った磁気の光子の数の何倍か。
電子のラブが1秒間に作った磁気の光子の数÷陽子のラブが1秒間に作った磁気の光子の数＝5.044×1023個÷(1.499×1017個)＝3.365×106＝(1834)2(倍)
電子のラブが1秒間に作った磁気の光子の数は、陽子のラブが1秒間に作った磁気の光子の数の3.365×106倍であり、これはエネルギー差の２乗倍です。
・陽子のラブが作った光子の束の大きさは電子のラブが作った光子の束の1836分の1ですが、その中に存在する電気の光子のエネルギーは、1836倍です。電気の光子の数は1834分の1です。
・光子の束のエネルギー密度を、ラブが1秒間に作った光子のエネルギー÷光子の束の大きさとする。
電子のラブが作った光子の束のエネルギー密度＝電子のラブが1秒間に作った光子のエネルギー÷電子のラブが作った光子の束の大きさ＝9.016×10−3J÷(8.665×10−24ｍ)＝1.041×1021
電子のラブが作った光子の束のエネルギー密度は、1.041×1021J/mです。
陽子のラブが作った光子の束のエネルギー密度＝陽子のラブが1秒間に作った光子のエネルギー÷陽子のラブが作った光子の束の大きさ＝9.027×10−3J÷(4.719×10−27ｍ)＝1.912×1024
陽子のラブが作った光子の束のエネルギー密度は、1.912×1024 J/mです。
・陽子のラブが作った光子の束のエネルギー密度は、電子のラブが作った光子の束のエネルギー密度の何倍か。
陽子のラブが作った光子の束のエネルギー密度÷電子のラブが作った光子の束のエネルギー密度＝1.912×1024÷(1.041×1021)＝1837(倍)
陽子のラブが作った光子の束のエネルギー密度は、電子のラブが作った光子の束のエネルギー密度の1837倍です。
・光子の束の電気の光子の数の密度を、ラブが1秒間に作った電気の光子の数÷1束の大きさ、とする。
電子のラブが作った光子の束の電気の光子の数の密度＝電子のラブが1秒間に作った電気の光子の数÷電子のラブが作った光子の束の大きさ＝6.336×1015個÷(8.665×10−24ｍ)＝7.312×1038個/m
電子のラブが作った電気の光子の数の密度は、7.312×1038個/mです。
陽子のラブが作った光子の束の電気の光子の数の密度＝陽子のラブが1秒間に作った電気の光子の数÷陽子のラブが作った光子の束の大きさ＝3.455×1012個÷(4.719×10−27ｍ)＝7.321×1038個/m
陽子のラブが作った光子の束の電気の光子の数の密度は、7.321×1038個/mです。
電子のラブが作った電気の光子の数の密度と陽子のラブが作った電気の光子の数の密度は同じです。
・光子の束の磁気の光子の数の密度を、ラブが1秒間に作った磁気の光子の数÷1束の大きさ、とする。
電子のラブが作った光子の束の磁気の光子の数の密度＝電子のラブが1秒間に作った磁気の光子の数÷電子のラブが作った光子の束の大きさ＝5.044×1023個÷(8.665×10−24ｍ)＝5.821×1046個/m
電子のラブが作った光子の束の磁気の光子の数の密度は、5.821×1046個/mです。
陽子のラブが作った光子の束の磁気の光子の数の密度＝陽子のラブが1秒間に作った磁気の光子の数÷陽子のラブが作った光子の束の大きさ＝1.499×1017個÷(4.719×10−27ｍ)＝3.176×1043個/m
陽子のラブが作った光子の束の磁気の光子の数の密度は、3.176×1043個/mです。
・電子のラブが作った光子の束の磁気の光子の数の密度は、陽子のラブが作った光子の束の磁気の光子の数の密度の何倍か。
電子のラブが作った光子の束の磁気の光子の数の密度÷陽子のラブが作った光子の束の磁気の光子の数の密度＝5.821×1046個/m÷(3.176×1043個/m)＝1833(倍)
電子のラブが作った光子の束の磁気の光子の数の密度は、陽子のラブが作った光子の束の磁気の光子の数の密度の1833倍です。
・電子のラブが作った光子の束の軌道エネルギーは、陽子のラブが作った光子の束の軌道エネルギーの何倍か。
電子のラブが作った光子の束の軌道エネルギー÷陽子のラブが作った光子の束の軌道エネルギー＝7.812×10−26Jm÷(4.260×10−29Jm)＝1834(倍)
電子のラブが作った光子の束の軌道エネルギーは、陽子のラブが作った光子の束の軌道エネルギーの1834倍です。
これを表に示す。
ビッグバンの以前の後期、電子のラブが作った光子の束と、ビッグバンの以前の後期、陽子のラブが作った光子の束の比較
表8
2009296884.tif 000010
１９．  ビッグバンの以前の後期に存在した、陽子のラブが作った電気の光子1個のエネルギーは、電子のラブが作った電気の光子1個のエネルギーの1836倍もあったのに、現在背景放射になっている電気の光子のエネルギーは同じエネルギー(温度)であるのはなぜか。
私は、2007年9月28日に提出した、特願2007−279617．「請求項10」で、次のように記した。
この事によって何が理解できるか。
１．1束の光子数が多い光子ほど、光子のエネルギーの減少率は小さい。
２．光子のエネルギーの減少率は、1束の光子の数×109に反比例する。
３．光子の軌道が小さいほど、1束の光子数は多く、かつ、エネルギーの減少率は小さい。
４．背景放射の場合は、1個の光子のエネルギーが1016個の光子のエネルギーである。
○この理解をもとに、ビッグバンの以前の後期にできた、光子の束の電気の光子のエネルギーは、現在、地表でどのように成っているかを考える。
１．1束の光子数が多い光子ほど、光子のエネルギーの減少率は小さい。
この事から理解できること。
電子のラブが作った光子の束の電気の光子の数は1836倍ですから光子のエネルギーの減少率は少ないです。
陽子のラブが作った光子の束のほうが、電気の光子の数は1倍ですから光子のエネルギーの減少率は大きい。
陽子のラブが作った電気の光子1個のエネルギーは、1836倍です。このエネルギーの減少率は大きい。
陽子のラブが作った電気の光子1個のエネルギーの減少率は大きい。それで、陽子のラブが作った電気の光子のエネルギーと、電子のラブが作った電気の光子のエネルギーの差は小さくなる。
２．光子のエネルギーの減少率は、1束の光子の数×109に反比例する。
この事から理解できること。
電子のラブが作った光子の束には、6.336×1015個の電気の光子が存在する。
光子のエネルギーの減少率は、1束の光子の数×109分の1ですから、6.336×1015個×10−9＝6.336×106個分になる。
陽子のラブが作った光子の束には、3.455×1012個の電気の光子が存在する。
光子のエネルギーの減少率は、1束の光子の数×109分の1ですから、3.455×1012個×10−9＝3.455×103個分になる。
陽子のラブが作る光子の束の電気の光子1個のエネルギーは1836倍ですから、
光子の束の電気の光子１個のエネルギーは、光子の束の電気の光子の減少率×電気の光子1個のエネルギー＝3.455×103個分×1836倍＝6.343×106になる。
電子のラブが作る光子の束の電気の光子1個のエネルギーは1倍ですから、
光子の束の電気の光子１個のエネルギーは、光子の束の電気の光子の減少率×電気の光子1個のエネルギー＝6.336×106個分×1倍＝6.336×106になる。
よって、電子のラブが作った光子の束の電気の光子１個のエネルギーと陽子のラブが作った光子の束の電気の光子１個のエネルギーは同じに成る。
この事によって、ビッグバンの以前にできた、陽子のラブが作った電気の光子1個のエネルギーは、電子のラブが作った電気の光子1個のエネルギーの1836倍であったのに、現在、背景放射になっている電気の光子のエネルギーがほぼ同じエネルギー(温度)になっている理由が理解できる。
２０．  天王星の自転軸は公転軌道面に垂直な直線に対して約98度傾いていて、海王星の自転軸は公転軌道面に垂直な直線に対して28.8度傾いているのはどうしてか。
私は、2009年5月11日に提出した、特願2009−114091の「請求項26」で、次のことを理解した。
この事を表にしめす。
表９
2009296884.tif 000011
銀河系の腕は、螺旋回転しています。太陽系は、銀河系の中央のブラックホールより、より近くに存在する腕の中央のブラックホールの質量の影響を強く受けています。天王星と海王星は螺旋回転しています。天王星と海王星は、太陽より遠く離れているので、自分の中央に存在する金属水素の質量の影響を強く受けています。そして、太陽からの影響を受けています。それが自転軸の傾きに現れています。
自転軸の傾きは、中央部の金属水素の質量÷太陽からの距離、に比例する。
天王星の自転軸は公転軌道面に垂直な直線に対して約98度傾いている。天王星の中央の金属水素の質量は地球の質量の約10倍です。そして、太陽からの距離は、28.750×108Kmです。
海王星の自転軸は公転軌道面に垂直な直線に対して28.8度傾いている。海王星の中央の金属水素の質量は地球の質量の約4.31倍です。太陽からの距離は、45.044×108Km離です。
この事を証明する。
天王星の場合。
中央部の金属水素の質量(地球の質量の何倍か。)÷太陽からの距離＝10倍÷(28.750×108Km)＝0.348
0.348×比例定数＝98度
比例定数＝98度÷0.348＝282
海王星の場合。
中央部の金属水素の質量(地球の質量の何倍か。)÷太陽からの距離＝4.31倍÷(45.044×108Km)＝0.0957
0.0957×比例定数＝28.8度
比例定数＝28.8度÷0.0957＝301
もし、比例定数を天王星の場合と同じにすると、
0.0957×282＝27度、です。
２１．  惑星の軌道エネルギー＝惑星の表面の原子数×惑星の1原子の電子のラブがが1公転で作る電気の光子のエネルギー＝7.602×1033個×1.743×10−23JKm÷距離。この式から、惑星の表面の原子の電子のラブの公転軌道を求める。
惑星の表面の1原子の電子のラブが1公転で作る電気の光子のエネルギー＝1.743×10−23JKm÷距離
電気の光子の軌道＝1.233×10−41Jm÷(1.743×10−23JKm÷距離)
地球の場合。
地球の表面の1原子の電子のラブが1公転で作る電気の光子のエネルギー＝1.743×10−23JKm÷距離＝1.743×10−23JKm÷(1.496×108Km)＝1.165×10−31J
この電気の光子の軌道は、
1.233×10−41Jm÷(1.165×10−31J)＝1.058×10−10ｍ、です。
電子のラブが公転して、電気の光子を作るので、電気の光子の軌道＝電子のラブの公転軌道です。
電子のラブの公転軌道は、1.058×10−10ｍです。
水星の場合。
水星の表面の1原子の電子のラブが1公転で作る電気の光子のエネルギー＝1.743×10−23JKm÷距離＝1.743×10−23JKm÷(0.579×108Km)＝3.010×10−31J
電子のラブの公転軌道＝1.233×10−41Jm÷(3.010×10−31J)＝4.096×10−11ｍ
金星の場合。
金星の表面の1原子の電子のラブが1公転で作る電気の光子のエネルギー＝1.743×10−23JKm÷距離＝1.743×10−23JKm÷(1.082×108Km)＝1.611×10−31J
電子のラブの公転軌道＝1.233×10−41Jm÷(1.611×10−31J)＝7.654×10−11ｍ
火星の表面の1原子の電子のラブが1公転で作る電気の光子のエネルギー＝1.743×10−23JKm÷距離＝1.743×10−23JKm÷(2.279×108Km)＝7.648×10−32J
電子のラブの公転軌道＝1.233×10−41Jm÷(7.648×10−32J)＝1.612×10−10ｍ
木星の表面の1原子の電子のラブが1公転で作る電気の光子のエネルギー＝1.743×10−23JKm÷距離＝1.743×10−23JKm÷(7.783×108Km)＝2.239×10−32J
電子のラブの公転軌道＝1.233×10−41Jm÷(2.239×10−32J)＝5.507×10−10ｍ
土星の表面の1原子の電子のラブが1公転で作る電気の光子のエネルギー＝1.743×10−23JKm÷距離＝1.743×10−23JKm÷(14.294×108Km)＝1.219×10−32J
電子のラブの公転軌道＝1.233×10−41Jm÷(1.219×10−32J)＝1.011×10−9ｍ
天王星の表面の1原子の電子のラブが1公転で作る電気の光子のエネルギー＝1.743×10−23JKm÷距離＝1.743×10−23JKm÷(28.750×108Km)＝6.063×10−33J
電子のラブの公転軌道＝1.233×10−41Jm÷(6.063×10−33J)＝2.034×10−9ｍ
海王星の表面の1原子の電子のラブが1公転で作る電気の光子のエネルギー＝1.743×10−23JKm÷距離＝1.743×10−23JKm÷(45.044×108Km)＝3.870×10−33J
電子のラブの公転軌道＝1.233×10−41Jm÷(3.870×10−33J)＝3.186×10−9ｍ
このデーターは、輻射量から計算した電子のラブの公転軌道と同じ値です。それは、2008年10月17日に提出した、特願2008−268538．「宇宙11」の「請求項15」に記した。
２２．  惑星において、熱に成る電気の光子の軌道とエネルギーはいくらか。熱になる電気の光子の軌道＝電子のラブの公転軌道÷(4.824×10−6)の式により求める。
私は、2009年6月19日に提出した、特願2009−145952．「熱と引力」の「請求項16」で、熱になる電気の光子の軌道＝電子のラブの軌道÷(4.824×10−6)、であると理解した。
この式により、惑星において、熱に成る電気の光子の軌道とエネルギーを求める。
水星の場合。
熱になる電気の光子の軌道＝電子のラブの公転軌道÷(4.824×10−6)＝4.096×10−11ｍ÷(4.824×10−6)＝8.491×10−6ｍ
電気の光子のエネルギー＝1.233×10−41Jm÷(8.491×10−6ｍ)＝1.452×10−36J
金星の場合。
熱になる電気の光子の軌道＝電子のラブの公転軌道÷(4.824×10−6)＝7.654×10−11ｍ÷(4.824×10−6)＝1.587×10−5ｍ
電気の光子のエネルギー＝1.233×10−41Jm÷(1.587×10−5ｍ)＝7.769×10−37J
地球の場合。
熱になる電気の光子の軌道＝電子のラブの公転軌道÷(4.824×10−6)＝1.058×10−10ｍ÷(4.824×10−6)＝2.193×10−5ｍ
電気の光子のエネルギー＝1.233×10−41Jm÷(2.193×10−5ｍ)＝5.622×10−37J
火星の場合。
熱になる電気の光子の軌道＝電子のラブの公転軌道÷(4.824×10−6)＝1.612×10−10ｍ÷(4.824×10−6)＝3.342×10−5ｍ
電気の光子のエネルギー＝1.233×10−41Jm÷(3.342×10−5ｍ)＝3.689×10−37J
木星の場合。
熱になる電気の光子の軌道＝電子のラブの公転軌道÷(4.824×10−6)＝5.507×10−10ｍ÷(4.824×10−6)＝1.142×10−4ｍ
電気の光子のエネルギー＝1.233×10−41Jm÷(1.142×10−4ｍ)＝1.080×10−37J
土星の場合。
熱になる電気の光子の軌道＝電子のラブの公転軌道÷(4.824×10−6)＝1.011×10−9ｍ÷(4.824×10−6)＝2.096×10−4ｍ
電気の光子のエネルギー＝1.233×10−41Jm÷(2.096×10−4ｍ)＝5.888×10−38J
天王星の場合。
熱になる電気の光子の軌道＝電子のラブの公転軌道÷(4.824×10−6)＝2.034×10−9ｍ÷(4.824×10−6)＝4.216×10−4ｍ
電気の光子のエネルギー＝1.233×10−41Jm÷(4.216×10−4ｍ)＝2.925×10−38J
海王星の場合。
熱になる電気の光子の軌道＝電子のラブの公転軌道÷(4.824×10−6)＝3.186×10−9ｍ÷(4.824×10−6)＝6.604×10−4ｍ
電気の光子のエネルギー＝1.233×10−41Jm÷(6.604×10−4ｍ)＝1.867×10−38J
２３．  輻射量1/2の電気の光子は何個の電気の光子であるか。
この問題は、2009年5月11日に提出した、特願2009−114091．「宇宙12」の「請求項13」の再考察です。
「請求項13」では、輻射熱は、波長が2×2.066×10−5ｍの赤外線であると考えた。
しかし、惑星の場の軌道エネルギーが異なるので、熱になる電気の光子の軌道とエネルギーは各々異なる。
輻射量1/2の電気の光子数＝輻射量1/2の電気の光子のエネルギー÷電気の光子１個のエネルギー
水星の場合。
輻射量1/2の電気の光子数＝輻射量1/2の電気の光子のエネルギー÷電気の光子１個のエネルギー＝3.009×10−31Jm÷(1.452×10−36J)＝2.072×105個
金星の場合。
輻射量1/2の電気の光子数＝輻射量1/2の電気の光子のエネルギー÷電気の光子１個のエネルギー＝1.610×10−31Jm÷(7.769×10−37J)＝2.072×105個
地球の場合。
輻射量1/2の電気の光子数＝輻射量1/2の電気の光子のエネルギー÷電気の光子１個のエネルギー＝1.165×10−31Jm÷(5.622×10−37J)＝2.072×105個
火星の場合。
輻射量1/2の電気の光子数＝輻射量1/2の電気の光子のエネルギー÷電気の光子１個のエネルギー＝7.632×10−32Jm÷(3.689×10−37J)＝2.069×105個
木星の場合。
輻射量1/2の電気の光子数＝輻射量1/2の電気の光子のエネルギー÷電気の光子１個のエネルギー＝2.241×10−32Jm÷(1.080×10−37J)＝2.075×105個
土星の場合。
輻射量1/2の電気の光子数＝輻射量1/2の電気の光子のエネルギー÷電気の光子１個のエネルギー＝1.222×10−32Jm÷(5.888×10−38J)＝2.075×105個
天王星の場合。
輻射量1/2の電気の光子数＝輻射量1/2の電気の光子のエネルギー÷電気の光子１個のエネルギー＝6.654×10−33Jm÷(2.925×10−38J)＝2.070×105個
海王星の場合。
輻射量1/2の電気の光子数＝輻射量1/2の電気の光子のエネルギー÷電気の光子１個のエネルギー＝3.864×10−33Jm÷(1.867×10−38J)＝2.070×105個
これを表に示す。
表１０
2009296884.tif 000012
この事によって理解できる事。
1. 地球に到達する輻射量を１としたとき、惑星に到達する輻射量1/2の電気の光子の数は2.07×105個で一定です。
2. 私は、従来、たどり着く光子のエネルギーと出発した光子のエネルギーについて、電気の光子1個のエネルギーを単位として計算してきた。この考えは正しい。
例えば、たどり着く光子のエネルギー＝Ｋｍ×aJ÷（2×走った距離）。aJ＝出発した光子のエネルギーとＫについて。（2007年9月28日に提出した、特願2007−279617．「請求項5」）この式は、2004年6月11日に提出した特願2004−202496に記した。
惑星にたどり着く電気の光子1個のエネルギー＝太陽を出発する電気の光子1個のエネルギー×見かけ上に換算する定数÷距離、の式を再考する。(2009年5月11日に提出した、特願2009−114091．の「請求項7」)、等です。
【産業上の利用可能性】
【０００９】
この発明は宇宙産業に役立つ。
【符号の説明】
【００１０】
１  ビッグバンの以前の前期の球体
２  中央部で、自転のみ行う陽子のラブ
３  周囲で、自転のみ行う電子のラブ
４  ビッグバンの以前の後期の球体
５  球体の中央の外側で、自転し公転する陽子のラブ
６  球体の周囲の内側で、自転し公転する電子のラブ
７  球体の中央の外側
８  球体の周囲の内側
【図１】
2009296884.tif 000023
【図２】
2009296884.tif 000024